(57)【要約】【課題】  複数系統の利用側熱交換器を備え、液側連絡配管を一本にまとめた冷凍装置において、室外熱交換器を使わない１００％熱回収の運転を行う場合に、低外気温時でも回路上の冷媒の流れを安定させて、冷凍能力の低下を防止する。【解決手段】  １００％熱回収の運転を行うときに、室内熱交換器（41）から出た液冷媒が冷蔵・冷凍用熱交換器（45，51）以外の方向へ流れるのを防止する逆流防止機構（37）を設ける。【選択図】  図１
2005134103.tif 000002
【特許請求の範囲】
【請求項１】
圧縮機構（2D，2E）と熱源側熱交換器（4）とを有する熱源側ユニット（1A）と、第１利用側熱交換器（45，51）を有する第１利用側ユニット（1C，1D）と、第２利用側熱交換器（41）を有する第２利用側ユニット（1B）とを備え、
上記熱源側ユニット（1A）と第１利用側ユニット（1C，1D）とが第１液側連絡配管（11A）と第１ガス側連絡配管（15，16）とにより接続され、上記熱源側ユニット（1A）と第２利用側ユニット（1B）とが第２液側連絡配管（11B）と第２ガス側連絡配管（17）とにより接続された冷凍装置であって、
上記第１液側連絡配管（11A）が、上記熱源側熱交換器（4）に接続された液管（10）に連結される基管（11）と、該基管（11）から分岐して第１利用側熱交換器（45，51）に接続される第１分岐管（11a）とから構成され、
上記第２液側連絡配管（11B）が、上記基管（11）と、該基管（11）から分岐して第２利用側熱交換器（41）に接続される第２分岐管（11b）とから構成され、
上記圧縮機構（2D，2E）、第２ガス側連絡配管（17）、第２利用側熱交換器（41）、第２分岐管（11b）、第１分岐管（11a）、第１利用側熱交換器（45，51）、及び第１ガス側連絡配管（15，16）を冷媒が順に流れる運転状態において、第２利用側熱交換器（41）から第１利用側熱交換器（45，51）の間に設けられる膨張機構（46，52）の手前側部分を満液状態に維持する液シール機構（37）（39，SV7）（40，SV8）（90）（21）を備えていることを特徴とする冷凍装置。
【請求項２】
請求項１に記載の冷凍装置において、
液シール機構は、上記第２分岐管（11b）から上記基管（11）及び液管（10）への冷媒の流入を防止するように上記基管（11）もしくは液管（10）またはこれらに連続する配管に設けられた逆流防止機構（37）（39，SV7）により構成されていることを特徴とする冷凍装置。
【請求項３】
請求項２に記載の冷凍装置において、
熱源側ユニット（1A）に、冷媒を貯留するレシーバ（14）が設けられ、
上記レシーバ（14）が、液管（10）に対し、熱源側熱交換器（4）からの冷媒の流入を許容する第１流入管（10a）と、液側連絡配管（11A，11B）への冷媒の流出を許容する第１流出管（10b）と、液側連絡配管（11A，11B）からの冷媒の流入を許容する第２流入管（10c）と、熱源側熱交換器（4）への冷媒の流出を許容する第２流出管（10d）と、を介して接続されていることを特徴とする冷凍装置。
【請求項４】
請求項３に記載の冷凍装置において、
逆流防止機構（37）が第２流入管（10c）に設けられていることを特徴とする冷凍装置。
【請求項５】
請求項２に記載の冷凍装置において、
逆流防止機構（37）は、該逆流防止機構（37）に作用する冷媒圧力が所定値を越えるまでは冷媒の流通経路を閉鎖するリリーフバルブにより構成されていることを特徴とする冷凍装置。
【請求項６】
請求項３に記載の冷凍装置において、
第２流入管（10c）には液側連絡配管（11A，11B）からレシーバ（14）へ向かう冷媒流れのみを許容する逆止弁（7）が設けられ、
逆流防止機構（39，SV7）は、上記逆止弁（7）を閉じるように冷媒回路の高圧圧力を第２流入管（10c）に導入する逆流防止管（39）と、該逆流防止管（39）を開閉する開閉弁（SV7）とを備えていることを特徴とする冷凍装置。
【請求項７】
請求項６に記載の冷凍装置において、
逆流防止管（39）は、圧縮機構（2D，2E）の吐出管（8）から高圧冷媒を第２流入管（10c）に導入可能に構成されていることを特徴とする冷凍装置。
【請求項８】
請求項１に記載の冷凍装置において、
熱源側ユニット（1A）に、冷媒を貯留するレシーバ（14）が設けられ、
上記レシーバ（14）が、液管（10）に対し、熱源側熱交換器（4）からの冷媒の流入を許容する第１流入管（10a）と、液側連絡配管（11A，11B）への冷媒の流出を許容する第１流出管（10b）と、液側連絡配管（11A，11B）からの冷媒の流入を許容する第２流入管（10c）と、熱源側熱交換器（4）への冷媒の流出を許容する第２流出管（10d）と、を介して接続され、
第２流入管（10c）には液側連絡配管（11A，11B）からレシーバ（14）へ向かう冷媒流れのみを許容する逆止弁（7）が設けられ、
液シール機構（40，SV8）は、冷媒回路の高圧圧力をレシーバ（14）に導入する高圧導入管（40）と、該高圧導入管（40）を開閉する開閉弁（SV8）とを備えていることを特徴とする冷凍装置。
【請求項９】
請求項８に記載の冷凍装置において、
高圧導入管（40）は、圧縮機構（2D，2E）の吐出管（8）から高圧冷媒をレシーバ（14）に導入可能に構成されていることを特徴とする冷凍装置。
【請求項１０】
請求項１に記載の冷凍装置において、
熱源側ユニット（1A）に、冷媒を貯留するレシーバ（14）が設けられ、
上記レシーバ（14）が、液管（10）に対し、熱源側熱交換器（4）からの冷媒の流入を許容する第１流入管（10a）と、液側連絡配管（11A，11B）への冷媒の流出を許容する第１流出管（10b）と、液側連絡配管（11A，11B）からの冷媒の流入を許容する第２流入管（10c）と、熱源側熱交換器（4）への冷媒の流出を許容する第２流出管（10d）と、を介して接続され、
第２流入管（10c）には液側連絡配管（11A，11B）からレシーバ（14）へ向かう冷媒流れのみを許容する逆止弁（7）が設けられ、
液シール機構（90）は、レシーバ（14）を加熱する加熱部材（90）により構成されていることを特徴とする冷凍装置。
【請求項１１】
請求項１に記載の冷凍装置において、
液シール機構（21）は、基管（11）、第１分岐管（11a）及び第２分岐管（11b）の接合部において該第１分岐管（11a）及び第２分岐管（11b）から上方へのびるように基管（11）に設けられた立ち上げ部（21）により構成されていることを特徴とする冷凍装置。
【請求項１２】
請求項１に記載の冷凍装置において、
熱源側熱交換器（4）が室外に設置される室外熱交換器であり、
第１利用側熱交換器（45，51）が庫内を冷却する冷蔵・冷凍用熱交換器であり、
第２利用側熱交換器（41）が室内を空調する空調用熱交換器であることを特徴とする冷凍装置。
【発明の詳細な説明】
【技術分野】
【０００１】
本発明は、冷凍装置に関し、特に、冷蔵・冷凍用や空調用として複数の利用側熱交換器を有する冷凍装置に係るものである。
【背景技術】
【０００２】
従来より、冷凍サイクルを行う冷凍装置が知られている。この冷凍装置は、室内を冷暖房する空調機や、食品等を貯蔵する冷蔵庫等の冷却機として広く利用されている。この冷凍装置には、空調と冷蔵・冷凍の両方を行うものがある（例えば、特許文献１参照）。
【０００３】
一般に、この種の冷凍装置では、例えば冷蔵・冷凍用のショーケースや空調用の室内機などの利用側ユニットに設けられている複数の利用側熱交換器（冷蔵・冷凍用熱交換器や空調用熱交換器）が、室外に設置される熱源側ユニット（室外ユニット）の熱源側熱交換器（室外熱交換器）に対して並列に、それぞれ液側連絡配管及びガス側連絡配管によって接続されている。この冷凍装置は、例えばコンビニエンスストア等に設置され、１つの冷凍装置を設置するだけで、店内の空調とショーケース等の冷却を行うことができる。
【０００４】
上記冷凍装置では、冷媒回路が冷蔵・冷凍系統と空調系統の２系統を有する回路に構成されている。したがって、液ラインとガスラインのそれぞれについて連絡配管が２本ずつ用いられていて配管の本数が多いため、その接続作業が繁雑で、誤接続が生じるおそれがあった。
【０００５】
そこで、本願出願人は、２系統の液ラインで一本の液側連絡配管を共用するとともに、この液側連絡配管と冷蔵・冷凍系統の低圧ガス側連絡配管とを並べて接触させるようにした冷凍装置を考案し、これを既に出願している（特許文献２参照）。この装置では、連絡配管の本数を減らすことで誤接続のおそれを少なくすることが可能となり、しかも、液側連絡配管と冷蔵・冷凍系統の低圧ガス側連絡配管の間で液冷媒とガス冷媒とが熱交換を行うことで、吸入側のガス冷媒によって液冷媒を過冷却して冷凍能力を高められるようにしている。
【０００６】
この装置の冷媒回路は、具体的には図２７に示すように構成されている。図において、（101）は室外ユニット、（102）は室内ユニット、（103）は冷蔵用ショーケース（冷蔵ユニット）、（104）は冷凍用ショーケース（冷凍ユニット）である。室外ユニット（101）には圧縮機構（105，106）と室外熱交換器（107）と室外膨張弁（108）とレシーバ（109）とが設けられ、室内ユニット（102）には室内熱交換器（110）と室内膨張弁（111）とが設けられている。また、冷蔵用ショーケース（103）には冷蔵用熱交換器（112）と冷蔵用膨張弁（113）とが設けられ、冷凍用ショーケース（104）には冷凍用熱交換器（114）と冷凍用膨張弁（115）とブースタ圧縮機（116）とが設けられている。
【０００７】
この冷凍装置の冷媒回路（120）は、室外熱交換器（107）と冷蔵・冷凍用熱交換器（112，114）との間で冷媒が循環するように構成された冷蔵・冷凍系統側の回路と、室外熱交換器（107）と室内熱交換器（110）との間で冷媒が可逆に循環するように構成された空調系統側の回路とを備えている。そして、各系統の液ラインで１本の液側連絡配管（121）を共用するとともに、この液側連絡配管（121）と冷蔵・冷凍系統の低圧ガス側連絡配管（122）とが並設されている。
【特許文献１】特開２００１−２８０７４９号公報
【特許文献２】特開２００４−０４４９２１号公報
【発明の開示】
【発明が解決しようとする課題】
【０００８】
上記の冷凍装置では、室外に設置される室外熱交換器（107）を熱源として室内の空調や各ショーケースの冷却を行う運転を行えるほか、上記室外熱交換器（107）を使わずに、室内熱交換器（110）を凝縮器に、冷蔵・冷凍用熱交換器（112，114）を蒸発器にして、暖房と冷蔵・冷凍を１００％熱回収で行う運転が可能である。
【０００９】
ところで、液側連絡配管（121）を一本にした上記冷媒回路（120）の構成において１００％熱回収運転を行う時には、圧縮機構（105，106）から吐出された冷媒は、室内熱交換器（110）で凝縮した後、冷蔵・冷凍用熱交換器（112，114）で蒸発し、再び圧縮機構（105，106）に吸入される流れで冷媒回路（120）内を循環する。つまり、このときには、室内熱交換器（110）で凝縮した液冷媒をレシーバ（109）から熱源側熱交換器（107）の方向へは流さずに、冷蔵・冷凍用の熱交換器（112，114）に導入することが必要になる。
【００１０】
しかし、例えば外気温度が低い時にはレシーバ（109）内の圧力が下がるため、液側連絡配管（121）の内部の圧力も下がり、室内熱交換器（110）から出た液冷媒が液側連絡配管（121）からレシーバ（109）に流入しやすくなって、冷蔵・冷凍用熱交換器（112，114）へ流れる冷媒流量が不足するおそれがある。そして、冷蔵・冷凍用熱交換器（112，114）における冷媒流量が不足すると、各ショーケース（103，104）の庫内を冷却する能力が低下してしまうことになる。
【００１１】
このように、上記冷凍装置では、１００％熱回収運転時に冷媒回路（120）内で冷媒の流れが不安定になり、能力不足が生じるおそれがあった。本発明は、このような問題点に鑑みて創案されたものであり、その目的は、複数系統の利用側熱交換器を備えるとともに、複数の液ラインで一本の液側連絡配管を共用した冷凍装置において、室外熱交換器を使わずに１００％熱回収の運転を行う場合に、低外気温時でも回路上の冷媒の流れを安定させて、冷凍能力が低下しないようにすることである。
【課題を解決するための手段】
【００１２】
本発明は、１００％熱回収の運転を行うときに室内熱交換器（41）から出た液冷媒で膨張機構（46，52）の手前側を満液状態にするために、冷媒回路（1E）に液シール機構（37）（39，SV7）（40，SV8）（90）（21）を設けたものである。
【００１３】
具体的に、第１の発明は、図１，図１３及び図２１に示すように、圧縮機構（2D，2E）と熱源側熱交換器（4）とを有する熱源側ユニット（1A）と、第１利用側熱交換器（45，51）を有する第１利用側ユニット（1C，1D）と、第２利用側熱交換器（41）を有する第２利用側ユニット（1B）とを備え、上記熱源側ユニット（1A）と第１利用側ユニット（1C，1D）とが第１液側連絡配管（11A）と第１ガス側連絡配管（15，16）とにより接続され、上記熱源側ユニット（1A）と第２利用側ユニット（1B）とが第２液側連絡配管（11B）と第２ガス側連絡配管（17）とにより接続された冷凍装置を前提としている。
【００１４】
そして、この冷凍装置は、上記第１液側連絡配管（11A）が、上記熱源側熱交換器（4）に接続された液管（10）に連結される基管（11）と、該基管（11）から分岐して第１利用側熱交換器（45，51）に接続される第１分岐管（11a）とから構成され、上記第２液側連絡配管（11B）が、上記基管（11）と、該基管（11）から分岐して第２利用側熱交換器（41）に接続される第２分岐管（11b）とから構成され、上記圧縮機構（2D，2E）、第２ガス側連絡配管（17）、第２利用側熱交換器（41）、第２分岐管（11b）、第１分岐管（11a）、第１利用側熱交換器（45，51）、及び第１ガス側連絡配管（15，16）を冷媒が順に流れる運転状態において、第２利用側熱交換器（41）から第１利用側熱交換器（45，51）の間に設けられる膨張機構（46，52）の手前側部分を満液状態に維持する液シール機構（37）（39，SV7）（40，SV8）（90）（21）を備えていることを特徴としている。
【００１５】
この第１の発明では、熱源側熱交換器（4）を使わない１００％熱回収の運転時には、圧縮機構（2D，2E）、第２ガス側連絡配管（17）、第２利用側熱交換器（41）、第２分岐管（11b）、第１分岐管（11a）、第１利用側熱交換器（45，51）、及び第１ガス側連絡配管（15，16）を冷媒が順に流れることにより蒸気圧縮式冷凍サイクルが行われて、第２利用側熱交換器（41）で冷媒の凝縮により空気が加熱されるとともに、第１利用側熱交換器（45，51）で冷媒の蒸発により空気が冷却される。なお、第２利用側熱交換器（41）での冷媒の凝縮行程から第１利用側熱交換器（45，51）での冷媒の蒸発行程に至る間に冷媒の膨張行程を行うために、第２利用側熱交換器（41）と第１利用側熱交換器（45，51）との間には冷媒を減圧膨張させる膨張機構が設けられる。
【００１６】
この１００％熱回収時の冷凍サイクルにおいて、冷媒は、第２利用側熱交換器（41）から第２分岐管（11b）を流れた後、第１分岐管（11a）から第１利用側熱交換器（45，51）の方へ流れて行くが、その際に、第２利用側熱交換器（41）から第１利用側熱交換器（45，51）までの間における膨張機構（46，52）の手前側部分が液シール機構（37）（39，SV7）（40，SV8）（90）（21）によって満液状態に維持される。言い換えると、第２分岐管（11b）から上記基管（11）及び液管（10）の方へ必要以上に液冷媒が流れ込まず、第１利用側熱交換器（45，51）の冷媒流量が確保されるので、第１利用側熱交換器（45，51）において所期の能力が発揮される。
【００１７】
第２の発明は、第１の発明の冷凍装置において、液シール機構は、上記第２分岐管（11b）から上記基管（11）及び液管（10）への冷媒の流入を防止するように上記基管（11）もしくは液管（10）またはこれらに連続する配管に設けられた逆流防止機構（37）（39，SV7）により構成されていることを特徴としている。
【００１８】
この第２の発明では、１００％熱回収時の冷凍サイクルにおいて、冷媒は、第２利用側熱交換器（41）から第２分岐管（11b）を流れた後、逆流防止機構（37）によって上記基管（11）及び液管（10）の方へ流れることが阻止されて、必ず第１分岐管（11a）から第１利用側熱交換器（45，51）の方へ流れて行く。このことにより、冷媒回路内での冷媒流れが安定し、第１利用側熱交換器（45，51）において所期の能力が発揮される。
【００１９】
第３の発明は、第２の発明の冷凍装置において、熱源側ユニット（1A）に冷媒を貯留するレシーバ（14）が設けられ、上記レシーバ（14）が、液管（10）に対し、熱源側熱交換器（4）からの冷媒の流入を許容する第１流入管（10a）と、液側連絡配管（11A，11B）への冷媒の流出を許容する第１流出管（10b）と、液側連絡配管（11A，11B）からの冷媒の流入を許容する第２流入管（10c）と、熱源側熱交換器（4）への冷媒の流出を許容する第２流出管（10d）と、を介して接続されていることを特徴としている。
【００２０】
１００％熱回収運転時に外気温度が低くなってレシーバ（14）内の圧力が低下すると、第２利用側熱交換器（41）を出て第２分岐管（11b）を流れる冷媒は、逆流防止機構（37）がない場合には基管（11）及び第２流入管（10c）を通ってレシーバ（14）へ流入しようとするが、この第３の発明では逆流防止機構（37）が設けられているので、レシーバ（14）に冷媒は流入しない。したがって、第１利用側熱交換器（45，51）を流れる冷媒の流量が不足しない。
【００２１】
第４の発明は、第３の発明の冷凍装置において、逆流防止機構（37）が第２流入管（10c）に設けられていることを特徴としている。
【００２２】
この第４の発明では、１００％熱回収運転時に外気温度が下がってレシーバ（14）内の圧力が下がっても、第２流入管（10c）に逆流防止機構（37）を設けているので基管（11）の圧力は低下しない。したがって、第２利用側熱交換器（41）を出た液冷媒は、基管（11）の方へは流れずに、第２分岐管（11b）から第１分岐管（11a）及び第１利用側熱交換器（45，51）の方へ確実に流れていく。
【００２３】
第５の発明は、第２の発明の冷凍装置において、逆流防止機構（37）が、該逆流防止機構（37）に作用する冷媒圧力が所定値を越えるまでは冷媒の流通経路を閉鎖するリリーフバルブにより構成されていることを特徴としている。
【００２４】
この第５の発明では、１００％熱回収運転時には、リリーフバルブ（37）によって冷媒の逆流が防止されるため、第２利用側熱交換器（41）を出た液冷媒が第１利用側熱交換器（45，51）へ流れていく。このリリーフバルブ（37）は、冷媒圧力が設定値よりも上昇するような事態にならない限りは冷媒を流さないので、冷媒回路の不安定な動作を防止できる。
【００２５】
第６の発明は、第３の発明の冷凍装置において、第２流入管（10c）に液側連絡配管（11A，11B）からレシーバ（14）へ向かう冷媒流れのみを許容する逆止弁（7）が設けられ、逆流防止機構（39，SV7）が、上記逆止弁（7）を閉じるように冷媒回路の高圧圧力を第２流入管（10c）に導入する逆流防止管（39）と、該逆流防止管（39）を開閉する開閉弁（SV7）とを備えていることを特徴としている。
【００２６】
この第６の発明では、１００％熱回収運転時に開閉弁（SV7）を開くと、冷媒回路の高圧圧力が逆流防止管（39）を介して第２流入管（10ｃ）に導入され、該第２流入管（10c）の逆止弁（7）が閉鎖される。これにより、液側連絡配管（11A，11B）からレシーバ（14）へ向かう冷媒流れが阻止される。したがって、１００％熱回収運転時に外気温度が低下してレシーバ（14）内の圧力が低下しても、第２利用側熱交換器（41）を出て第２分岐管（11b）を流れる冷媒は、基管（11）からレシーバ（14）の方へは流れずに、第１利用側熱交換器（45，51）へ流れていく。このため、第１利用側熱交換器（45，51）を流れる冷媒の流量が不足しない。
【００２７】
第７の発明は、第６の発明の冷凍装置において、逆流防止管（39）は、圧縮機構（2D，2E）の吐出管（8）から高圧冷媒を第２流入管（10c）に導入可能に構成されていることを特徴としている。
【００２８】
この第７の発明では、圧縮機構（2D，2E）から吐出された高圧の冷媒を第２流入管（10c）に導入することで、第２流入管（10c）の逆止弁が閉鎖される。したがって、１００％熱回収運転時に外気温度が低下してレシーバ（14）内の圧力が低下しても、第２利用側熱交換器（41）を出て第２分岐管（11b）を流れる冷媒は、基管（11）からレシーバ（14）の方へは流れずに、確実に第１利用側熱交換器（45，51）へ流れていく。
【００２９】
第８の発明は、第１の発明の冷凍装置において、熱源側ユニット（1A）に、冷媒を貯留するレシーバ（14）が設けられ、上記レシーバ（14）が、液管（10）に対し、熱源側熱交換器（4）からの冷媒の流入を許容する第１流入管（10a）と、液側連絡配管（11A，11B）への冷媒の流出を許容する第１流出管（10b）と、液側連絡配管（11A，11B）からの冷媒の流入を許容する第２流入管（10c）と、熱源側熱交換器（4）への冷媒の流出を許容する第２流出管（10d）と、を介して接続され、第２流入管（10c）には液側連絡配管（11A，11B）からレシーバ（14）へ向かう冷媒流れのみを許容する逆止弁（7）が設けられ、液シール機構（40，SV8）は、冷媒回路の高圧圧力をレシーバ（14）に導入する高圧導入管（40）と、該高圧導入管（40）を開閉する開閉弁（SV8）とを備えていることを特徴としている。
【００３０】
この第８の発明では、１００％熱回収運転時に開閉弁（SV8）を開くと、冷媒回路の高圧圧力が高圧導入管（40）を介してレシーバ（14）に導入されるため、該レシーバ（14）内が高圧になり、第２流入管（10c）の逆止弁（7）が閉鎖される。これにより、液側連絡配管（11A，11B）からレシーバ（14）へ向かう冷媒流れが阻止される。したがって、１００％熱回収運転時に外気温度が低下しても、第２利用側熱交換器（41）を出て第２分岐管（11b）を流れる冷媒は、基管（11）からレシーバ（14）の方へは流れずに、第１利用側熱交換器（45，51）へ流れていく。このため、第１利用側熱交換器（45，51）を流れる冷媒の流量が不足しない。
【００３１】
第９の発明は、第８の発明の冷凍装置において、高圧導入管（40）は、圧縮機構（2D，2E）の吐出管（8）から高圧冷媒をレシーバ（14）に導入可能に構成されていることを特徴としている。
【００３２】
この第９の発明では、圧縮機構（2D，2E）から吐出された高圧の冷媒をレシーバ（14）に導入することで、第２流入管（10c）の逆止弁が閉鎖される。したがって、１００％熱回収運転時に外気温度が低下しても、第２利用側熱交換器（41）を出て第２分岐管（11b）を流れる冷媒は、基管（11）からレシーバ（14）の方へは流れずに、確実に第１利用側熱交換器（45，51）へ流れていく。
【００３３】
第１０の発明は、第１の発明の冷凍装置において、熱源側ユニット（1A）に、冷媒を貯留するレシーバ（14）が設けられ、上記レシーバ（14）が、液管（10）に対し、熱源側熱交換器（4）からの冷媒の流入を許容する第１流入管（10a）と、液側連絡配管（11A，11B）への冷媒の流出を許容する第１流出管（10b）と、液側連絡配管（11A，11B）からの冷媒の流入を許容する第２流入管（10c）と、熱源側熱交換器（4）への冷媒の流出を許容する第２流出管（10d）と、を介して接続され、第２流入管（10c）には液側連絡配管（11A，11B）からレシーバ（14）へ向かう冷媒流れのみを許容する逆止弁（7）が設けられ、液シール機構（90）が、レシーバ（14）を加熱する加熱部材（90）により構成されていることを特徴としている。
【００３４】
この第１０の発明では、１００％熱回収運転時に加熱部材（90）でレシーバ（14）を加熱すると、該レシーバ（14）内が高圧になり、第２流入管（10c）の逆止弁（7）が閉鎖される。これにより、液側連絡配管（11A，11B）からレシーバ（14）へ向かう冷媒流れが阻止される。したがって、１００％熱回収運転時に外気温度が低下しても、第２利用側熱交換器（41）を出て第２分岐管（11b）を流れる冷媒は、基管（11）からレシーバ（14）の方へは流れずに、第１利用側熱交換器（45，51）へ流れていく。このため、第１利用側熱交換器（45，51）を流れる冷媒の流量が不足しない。
【００３５】
第１１の発明は、第１の発明の冷凍装置において、液シール機構（21）が、基管（11）、第１分岐管（11a）及び第２分岐管（11b）の接合部において該第１分岐管（11a）及び第２分岐管（11b）から上方へのびるように基管（11）に設けられた立ち上げ部（21）により構成されていることを特徴としている。
【００３６】
この第１１の発明では、１００％熱回収時の冷凍サイクルにおいて、冷媒は、第２利用側熱交換器（41）から第２分岐管（11b）を流れた後、立ち上げ部（21）によって上記基管（11）及び液管（10）の方へ流れることが阻止されて、第１分岐管（11a）から第１利用側熱交換器（45，51）の方へ流れて行く。このことにより、冷媒回路内での冷媒流れが安定し、第１利用側熱交換器（45，51）において所期の能力が発揮される。
【００３７】
第１２の発明は、第１の発明の冷凍装置において、熱源側熱交換器（4）が室外に設置される室外熱交換器であり、第１利用側熱交換器（45，51）が庫内を冷却する冷蔵・冷凍用熱交換器であり、第２利用側熱交換器（41）が室内を空調する空調用熱交換器であることを特徴としている。
【００３８】
この第１２の発明では、１００％熱回収運転時には、熱源側熱交換器である室外熱交換器（4）を使わずに、第２利用側熱交換器である空調用熱交換器（41）で室内が暖房され、第１利用側熱交換器である冷蔵・冷凍用熱交換器（45，51）で庫内が冷却される。そして、このときに、逆流防止機構（37）で冷媒の逆流を防止することにより、空調用熱交換器（41）から冷蔵・冷凍用熱交換器（45，51）への冷媒の流れが安定する。
【発明の効果】
【００３９】
上記第１の発明によれば、液シール機構（37）（39，SV7）（40，SV8）（90）（21）を設けることによって１００％熱回収運転時に第２利用側熱交換器（41）から第１利用側熱交換器（45，51）までの間における膨張機構（46，52）の手前側部分を満液状態に維持するようにしているため、第２分岐管（11b）から上記基管（11）及び液管（10）の方へ必要以上に液冷媒が流れ込まないこととなって第１利用側熱交換器（45，51）の冷媒流量を確保できる。したがって、たとえ低外気温時であっても１００％熱回収運転時に冷凍能力が低下してしまうのを防止できる。
【００４０】
上記第２の発明によれば、逆流防止機構（37）を設けることによって１００％熱回収運転時に冷媒が上記基管（11）及び液管（10）の方向へ流れないようにしているため、１００％熱回収運転時の冷媒の流れが安定する。したがって、たとえ低外気温時であっても１００％熱回収運転時に冷凍能力が低下してしまうのを防止できる。
【００４１】
上記第３の発明によれば、１００％熱回収運転時に外気温度が低下してもレシーバ（14）に冷媒が流入せず、第１利用側熱交換器（45，51）の冷媒流量が不足しない。したがって、冷媒回路にレシーバ（14）を設けている場合であっても、低外気温での１００％熱回収運転時における能力不足を防止できる。
【００４２】
上記第４の発明によれば、逆流防止機構（37）を第２流入管（10c）に設けているため、１００％熱回収運転時に外気温度が下がってレシーバ（14）内の圧力が下がっても、第２利用側熱交換器（41）を出た液冷媒が第２分岐管（11b）から第１分岐管（11a）及び第１利用側熱交換器（45，51）の方へ確実に流れていく。したがって、低外気温での１００％熱回収運転時における能力不足を確実に防止できる。
【００４３】
また、逆流防止機構（37）を液管（10）または基管（11）に設ける場合には、１００％熱回収以外の運転時に冷媒が熱源側熱交換器（4）から各利用側熱交換器（41，45，51）に向かう流れを可能にするために、逆流防止機構（37）をバイパスする配管を設ける必要があるが、上記第４の発明では逆流防止機構（37）を第２流入管（10c）に設けているため、バイパス配管は不要であり、構成が複雑になるのを防止できる。
【００４４】
上記第５の発明によれば、逆流防止機構（37）としてリリーフバルブを用いるだけの簡単な構成により、１００％熱回収運転で外気温度が低下したときに動作が不安定になるのを防止できる。
【００４５】
上記第６の発明によれば、逆流防止機構（39，SV7）として逆流防止管（39）と開閉弁（SV7）を設け、冷媒回路の高圧圧力を利用して第２流入管（10c）の逆止弁（7）を閉じることにより、１００％熱回収運転時に外気温度が低下してレシーバ（14）内の圧力が低下しても、第１利用側熱交換器（45，51）における冷媒流量を確保できるので、該第１利用側熱交換器（45，51）の能力低下を防止できる。
【００４６】
上記第７の発明によれば、圧縮機構（2D，2E）から吐出された高圧の吐出冷媒を逆流防止管（39）から第２流入管（10c）に導入するようにしている。そして、圧縮機構（2D，2E）から吐出された直後の冷媒は圧力損失が小さいために、第２流入管（10c）の逆止弁を確実に閉鎖できる。したがって、１００％熱回収運転時に外気温度が低下してレシーバ（14）内の圧力が低下した場合であっても、第１利用側熱交換器（45，51）の能力低下をより確実に防止できる。
【００４７】
上記第８の発明によれば、レシーバ（14）に接続された高圧導入管（40）と開閉弁（SV8）を液シール機構（40，SV8）として設けている。したがって、冷媒回路の高圧圧力を利用して第２流入管（10c）の逆止弁（7）を閉じることにより、１００％熱回収運転時に外気温度が低下してレシーバ（14）内の圧力が低下しても、第１利用側熱交換器（45，51）における冷媒流量を確保できるので、該第１利用側熱交換器（45，51）の能力低下を防止できる。
【００４８】
上記第９の発明によれば、圧縮機構（2D，2E）から吐出された高圧の吐出冷媒を高圧導入管（40）からレシーバ（14）に導入するようにしている。そして、圧縮機構（2D，2E）から吐出された直後の冷媒は圧力損失が小さいために、第２流入管（10c）の逆止弁を確実に閉鎖できる。したがって、１００％熱回収運転時に外気温度が低下した場合であっても、第１利用側熱交換器（45，51）の能力低下をより確実に防止できる。
【００４９】
上記第１０の発明によれば、レシーバ（14）を加熱する加熱部材（90）を液シール機構として設けている。したがって、レシーバ（14）を加熱して該レシーバ（14）内を高圧にすることにより、１００％熱回収運転時に外気温度が低下しても、第１利用側熱交換器（45，51）における冷媒流量を確保できるので、該第１利用側熱交換器（45，51）の能力低下を防止できる。
【００５０】
上記第１１の発明によれば、液シール機構として、基管（11）、第１分岐管（11a）及び第２分岐管（11b）の接合部において該第１分岐管（11a）及び第２分岐管（11b）から上方へのびる立ち上げ部（21）を基管（11）に設けているので、１００％熱回収運転時に外気温度が低下しても、冷媒が基管（11）及び液管（10）の方へ流れにくくなる。したがって、第１利用側熱交換器（45，51）における冷媒流量を確保できるので、該第１利用側熱交換器（45，51）の能力低下を防止できる。
【００５１】
上記第１２の発明によれば、第２利用側熱交換器（41）である空調用熱交換器（41）で室内を暖房し、第１利用側熱交換器（45，51）である冷蔵・冷凍用熱交換器（45，51）で庫内を冷却する１００％熱回収運転時に、外気温度が低下しても冷媒が確実に冷蔵・冷凍用熱交換器（45，51）へ流れるため、庫内を冷却する能力が低下するのを確実に防止できる。
【発明を実施するための最良の形態】
【００５２】
以下、本発明の実施形態を図面に基づいて詳細に説明する。
【００５３】
《発明の実施形態１》
図１に示すように、実施形態１に係る冷凍装置（1）は、コンビニエンスストアに設けられ、冷蔵ショーケース及び冷凍ショーケースの冷却と店内の冷暖房とを行うためのものである。
【００５４】
上記冷凍装置（1）は、室外ユニット（1A）と室内ユニット（1B）と冷蔵ユニット（1C）と冷凍ユニット（1D）とを有し、蒸気圧縮式冷凍サイクルを行う冷媒回路（1E）を備えている。この冷媒回路（1E）は、冷蔵・冷凍用の第１系統側回路と、空調用の第２系統側回路とを備えている。上記冷媒回路（1E）は、冷房サイクルと暖房サイクルとに切り換わるように構成されている。
【００５５】
上記室内ユニット（1B）は、冷房運転と暖房運転とを切り換えて行うように構成され、例えば、売場などに設置される。また、上記冷蔵ユニット（1C）は、冷蔵用のショーケースに設置されて該ショーケースの庫内空気を冷却する。上記冷凍ユニット（1D）は、冷凍用のショーケースに設置されて該ショーケースの庫内空気を冷却する。室内ユニット（1B）と冷蔵ユニット（1C）と冷凍ユニット（1D）は、図では１台ずつしか示していないが、この実施形態１では室内ユニット（1B）が２台、冷蔵ユニット（1C）が８台程度、そして冷凍ユニット（1D）が１台接続されているものとする。
【００５６】
〈室外ユニット〉
上記室外ユニット（1A）は、第１圧縮機としてのインバータ圧縮機（2A）と、第２圧縮機としての第１ノンインバータ圧縮機（2B）と、第３圧縮機としての第２ノンインバータ圧縮機（2C）とを備えると共に、第１四路切換弁（3A）、第２四路切換弁（3B）、及び第３四路切換弁（3C）と、熱源側熱交換器である室外熱交換器（4）とを備えている。
【００５７】
上記各圧縮機（2A，2B，2C）は、例えば、密閉型の高圧ドーム型スクロール圧縮機で構成されている。上記インバータ圧縮機（2A）は、電動機がインバータ制御されて容量が段階的又は連続的に可変となる可変容量圧縮機である。上記第１ノンインバータ圧縮機（2B）及び第２ノンインバータ圧縮機（2C）は、電動機が常に一定回転数で駆動する定容量圧縮機である。
【００５８】
上記インバータ圧縮機（2A）と第１ノンインバータ圧縮機（2B）と第２ノンインバータ圧縮機（2C）は、この冷凍装置（1）の圧縮機構（2D，2E）を構成し、該圧縮機構（2D，2E）は、第１系統の圧縮機構（2D）と第２系統の圧縮機構（2E）とから構成されている。具体的に、圧縮機構（2D，2E）は、運転時に、上記インバータ圧縮機（2A）と第１ノンインバータ圧縮機（2B）とが第１系統の圧縮機構（2D）を構成し、第２ノンインバータ圧縮機（2C）が第２系統の圧縮機構（2E）を構成する場合と、上記インバータ圧縮機（2A）が第１系統の圧縮機構（2D）を構成し、第１ノンインバータ圧縮機（2B）と第２ノンインバータ圧縮機（2C）とが第２系統の圧縮機構（2E）を構成する場合とがある。つまり、インバータ圧縮機（2A）が冷蔵・冷凍用の第１系統側回路に、第２ノンインバータ圧縮機（2C）が空調用の第２系統側回路に固定的に用いられる一方、第１ノンインバータ圧縮機（2B）は第１系統側回路と第２系統側回路に切り換えて用いることができるようになっている。
【００５９】
上記インバータ圧縮機（2A）、第１ノンインバータ圧縮機（2B）及び第２ノンインバータ圧縮機（2C）の各吐出管（5a，5b，5c）は、１つの高圧ガス管（吐出配管）（8）に接続され、該高圧ガス管（8）が第１四路切換弁（3A）の１つのポートに接続されている。上記第１ノンインバータ圧縮機（2B）の吐出管（5b）及び第２ノンインバータ圧縮機（2C）の吐出管（5c）には、それぞれ逆止弁（7）が設けられている。
【００６０】
上記室外熱交換器（4）のガス側端部は、室外ガス管（9）によって第１四路切換弁（3A）の１つのポートに接続されている。上記室外熱交換器（4）の液側端部には、液ラインである液管（10）の一端が接続されている。該液管（10）の途中には、液冷媒を貯留するレシーバ（14）が設けられ、液管（10）の他端は、液側連絡配管（第１連絡液管（第１液側連絡配管）（11A）及び第２連絡液管（第２液側連絡配管）（11B））の基管（11）と接続されている。
【００６１】
上記レシーバ（14）は、液管（10）に対し、熱源側熱交換器（4）からの冷媒の流入を許容する第１流入管（10a）と、液側連絡配管（11A，11B）への冷媒の流出を許容する第１流出管（10b）と、液側連絡配管（11A，11B）からの冷媒の流入を許容する第２流入管（10c）と、室外熱交換器（4）への冷媒の流出を許容する第２流出管（10d）とを介して接続されている。
【００６２】
尚、上記室外熱交換器（4）は、例えば、クロスフィン式のフィン・アンド・チューブ型熱交換器であって、熱源ファンである室外ファン（4F）が近接して配置されている。
【００６３】
上記第１四路切換弁（3A）の１つのポートには、連絡ガス管（17）が接続されている。上記第１四路切換弁（3A）の１つのポートは、接続管（18）によって第２四路切換弁（3B）の１つのポートに接続されている。該第２四路切換弁（3B）の１つのポートは、補助ガス管（19）によって第２ノンインバータ圧縮機（2C）の吐出管（5c）に接続されている。また、第２四路切換弁（3B）の１つのポートには、第２ノンインバータ圧縮機（2C）の吸入管（6c）が接続されている。尚、上記第２四路切換弁（3B）の１つのポートは、閉塞された閉鎖ポートに構成されている。つまり、上記第２四路切換弁（3B）は、三路切換弁であってもよい。
【００６４】
上記第１四路切換弁（3A）は、高圧ガス管（8）と室外ガス管（9）とが連通し且つ接続管（18）と連絡ガス管（17）とが連通する第１状態（図１実線参照）と、高圧ガス管（8）と連絡ガス管（17）とが連通し、且つ接続管（18）と室外ガス管（9）とが連通する第２状態（図１破線参照）とに切り換わるように構成されている。
【００６５】
また、上記第２四路切換弁（3B）は、補助ガス管（19）と閉鎖ポートとが連通し、且つ接続管（18）と第２ノンインバータ圧縮機（2C）の吸入管（6c）とが連通する第１状態（図１実線参照）と、補助ガス管（19）と接続管（18）とが連通し、且つ吸入管（6c）と閉鎖ポートとが連通する第２状態（図１破線参照）とに切り換わるように構成されている。
【００６６】
上記インバータ圧縮機（2A）の吸入管（6a）は、第１系統側回路の低圧ガス管（低圧ガス側連絡配管）（15）に接続されている。第２ノンインバータ圧縮機（2C）の吸入管（6c）は、第１，第２四路切換弁（3A，3B）を介して第２系統側回路の低圧ガス管（連絡ガス管（17）または室外ガス管（9））に接続されている。また、第１ノンインバータ圧縮機（2B）の吸入管（6b）は、後述の第３四路切換弁（3C）を介してインバータ圧縮機（2A）の吸入管（6a）及び第２ノンインバータ圧縮機（2C）の吸入管（6c）に接続されている。
【００６７】
具体的には、インバータ圧縮機（2A）の吸入管（6a）には分岐管（6d）が接続され、第２ノンインバータ圧縮機（2C）の吸入管（6c）には分岐管（6e）が接続されている。そして、インバータ圧縮機（2A）の吸入管（6a）の分岐管（6d）が逆止弁（7）を介して第３四路切換弁（3C）の第１ポート（P1）に接続され、第１ノンインバータ圧縮機（2B）の吸入管（6b）が第３四路切換弁（3C）の第２ポート（P2）に接続され、第２ノンインバータ圧縮機（2C）の吸入管（6c）の分岐管（6e）が逆止弁（7）を介して第３四路切換弁（3C）の第３ポート（P3）に接続されている。また、第３四路切換弁（3C）の第４ポート（P4）には、後述するレシーバ（14）からのガス抜き管（28）の分岐管（28a）が接続されている。上記分岐管（6d，6e）に設けられている逆止弁は、第３四路切換弁（3C）へ向かう冷媒流れのみを許容するものである。
【００６８】
上記第３四路切換弁（3C）は、第１ポート（P1）と第２ポート（P2）が連通し、第３ポート（P3）と第４ポート（P4）が連通する第１の状態（図の実線参照）と、第１ポート（P1）と第４ポート（P4）が連通し、第２ポート（P2）と第３ポート（P3）が連通する第２の状態（図の破線参照）とに切り換え可能に構成されている。
【００６９】
上記各吐出管（5a，5b，5c）と高圧ガス管（8）と室外ガス管（9）とが冷房運転時の高圧ガスライン（1L）を構成している。また、上記各吐出管（5a，5b，5c）と高圧ガス管（8）と連絡ガス管（17）とが暖房運転時の高圧ガスライン（1N）を構成している。一方、上記低圧ガス管（15）と第１系統の圧縮機構（2D）の各吸入管（6a，6b）が第１の低圧ガスライン（1M）を構成している。また、上記連絡ガス管（17）と第２系統の圧縮機構（2E）の吸入管（6c）が冷房運転時の低圧ガスライン（1N）を構成し、室外ガス管（9）と該吸入管（6c）が暖房運転時の低圧ガスライン（1L）を構成している。このように、連絡ガス管（17）は運転状態によって高圧ガスラインと低圧ガスラインに切り換わる。また、低圧ガス管（15）は運転状態に拘わらず冷媒が流れるときは常に低圧ガスラインになる。
【００７０】
上記連絡液管（11A，11B）の基管（11）と連絡ガス管（17）と低圧ガス管（15）とは、室外ユニット（1A）から外部に延長され、室外ユニット（1A）内にはこれらに対応して閉鎖弁（20）が設けられている。
【００７１】
上記液管（10）には、レシーバ（14）をバイパスする補助液管（25）（第２流出管（10d））が接続されている。該補助液管（25）は、主として暖房時に冷媒が流れ、膨張機構である室外膨張弁（26）が設けられている。上記液管（10）における室外熱交換器（4）とレシーバ（14）との間（第１流入管（10a））には、レシーバ（14）に向かう冷媒流れのみを許容する逆止弁（7）が設けられている。該逆止弁（7）は、液管（10）における補助液管（25）の接続部とレシーバ（14）との間に位置している。
【００７２】
上記液管（10）は、この逆止弁（7）とレシーバ（14）との間で液分岐管（36）（第２流入管（10c））に分岐して、該液分岐管（36）が、上記液管（10）における閉鎖弁（20）と後述する逆止弁（7）との間に接続されている。該液分岐管（36）には、液管（10）との接続点からレシーバ（14）へ向かう冷媒流れを許容する逆止弁（7）が設けられている。また、第２流入管（10c）である液分岐管（36）には、液管（10）との接続点とこの逆止弁（7）との間に、逆流防止機構（液シール機構）としてのリリーフバルブ（37）が設けられている。このリリーフバルブ（37）は、該リリーフバルブ（37）に作用する冷媒圧力が所定圧力（例えば１．５ＭＰａ）になると自動的に開く一方、逆にその所定圧力を越えるまでは冷媒の流通経路を閉鎖した状態に保持する。
【００７３】
上記液管（10）には、補助液管（25）との接続点と閉鎖弁（20）との間（第１流出管（10b））に逆止弁（7）が設けられている。この逆止弁（7）は、レシーバ（14）から閉鎖弁（20）へ向かう冷媒流れのみを許容するものである。
【００７４】
上記補助液管（25）と低圧ガス管（15）との間には、リキッドインジェクション管（27）が接続されている。該リキッドインジェクション管（27）には、電子膨張弁（29）が設けられている。また、上記レシーバ（14）の上部とインバータ圧縮機（2A）の吐出管（5a）との間には、ガス抜き管（28）が接続されている。上述したように、このガス抜き管（28）の分岐管（28a）は上記第３四路切換弁（3C）の第４ポート（P4）に接続されている。また、該ガス抜き管（28）には、レシーバ（14）から吐出管（5a）に向かう冷媒流れのみを許容する逆止弁（7）が、ガス抜き管（28）における分岐管（28a）との接続点とレシーバ（14）との間に設けられている。
【００７５】
上記高圧ガス管（8）には、オイルセパレータ（30）が設けられている。該オイルセパレータ（30）には、油戻し管（31）の一端が接続されている。該油戻し管（31）は、他端が第１油戻し管（31a）と第２油戻し管（31b）に分岐している。第１油戻し管（31a）は、電磁弁（SV0）が設けられ、リキッドインジェクション管（27）を介してインバータ圧縮機（2A）の吸入管（6a）に接続されている。また、第２油戻し管（31b）は、電磁弁（SV4）が設けられ、第２ノンインバータ圧縮機（2C）の吸入管（6c）に接続されている。
【００７６】
上記インバータ圧縮機（2A）のドーム（油溜まり）と第１ノンインバータ圧縮機（2B）の吸入管（6b）との間には、第１均油管（32）が接続されている。上記第１ノンインバータ圧縮機（2B）のドームと第２ノンインバータ圧縮機（2C）の吸入管（6c）との間には、第２均油管（33）が接続されている。上記第２ノンインバータ圧縮機（2C）のドームとインバータ圧縮機（2A）の吸入管（6a）との間には、第３均油管（34）が接続されている。第１均油管（32）、第２均油管（33）、及び第３均油管（34）には、それぞれ、開閉機構として電磁弁（SV1，SV2，SV3）が設けられている。また、第２均油管（33）は、第１ノンインバータ圧縮機（2B）のドームと電磁弁（SV2）との間で第４均油管（35）に分岐している。第４均油管（35）は、電磁弁（SV5）が設けられ、第１圧縮機（2A）の吸入管（6a）に合流している。
【００７７】
〈室内ユニット〉
上記室内ユニット（1B）は、第２利用側熱交換器である室内熱交換器（空調熱交換器）（41）と膨張機構である室内膨張弁（42）とを備えている。上記室内熱交換器（41）のガス側は、連絡ガス管（17）が接続されている。一方、上記室内熱交換器（41）の液側は、室内膨張弁（42）を介して第２連絡液管（11B）の第２分岐管（11b）が接続されている。尚、上記室内熱交換器（41）は、例えば、クロスフィン式のフィン・アンド・チューブ型熱交換器であって、利用側ファンである室内ファン（43）が近接して配置されている。また、室内膨張弁（42）は、電動膨張弁により構成されている。
【００７８】
〈冷蔵ユニット〉
上記冷蔵ユニット（1C）は、第１利用側熱交換器（蒸発器）である冷蔵熱交換器（45）と、膨張機構である冷蔵膨張弁（46）とを備えている。上記冷蔵熱交換器（45）の液側は、電磁弁（7a）及び冷蔵膨張弁（46）を介して第１連絡液管（11A）の第１分岐管（11a）が接続されている。つまり、冷蔵熱交換器（45）の上流側には、冷蔵膨張弁（46）とともに、開閉弁としての電磁弁（7a）が設けられている。この電磁弁（7a）は、サーモオフ（休止）運転時に冷媒の流れを止めるために用いられるものである。一方、上記冷蔵熱交換器（45）のガス側は、低圧ガス管（15）が接続されている。
【００７９】
上記冷蔵熱交換器（45）は、第１系統の圧縮機構（2D）の吸込側に連通する一方、上記室内熱交換器（41）は、冷房運転時に第２ノンインバータ圧縮機（2C）の吸込側に連通している。上記冷蔵熱交換器（45）の冷媒圧力（蒸発圧力）は室内熱交換器（41）の冷媒圧力（蒸発圧力）より低くなる。この結果、上記冷蔵熱交換器（45）の冷媒蒸発温度は、例えば、−１０℃となり、室内熱交換器（41）の冷媒蒸発温度は、例えば、＋５℃となって冷媒回路（1E）が異温度蒸発の回路を構成している。
【００８０】
尚、上記冷蔵膨張弁（46）は、感温式膨張弁であって、感温筒が冷蔵熱交換器（45）のガス側に取り付けられている。したがって、冷蔵膨張弁（46）は、冷蔵熱交換器（45）の出口側の冷媒温度に基づいて開度が調整される。上記冷蔵熱交換器（45）は、例えば、クロスフィン式のフィン・アンド・チューブ型熱交換器であって、冷却ファンである冷蔵ファン（47）が近接して配置されている。
【００８１】
〈冷凍ユニット〉
上記冷凍ユニット（1D）は、第１利用側熱交換器である冷凍熱交換器（51）と膨張機構である冷凍膨張弁（52）と冷凍圧縮機であるブースタ圧縮機（53）とを備えている。上記冷凍熱交換器（51）の液側は、第１連絡液管（11A）の第１分岐管（11a）より分岐した分岐液管（13）が電磁弁（7b）及び冷凍膨張弁（52）を介して接続されている。
【００８２】
上記冷凍熱交換器（51）のガス側とブースタ圧縮機（53）の吸込側とは、接続ガス管（54）によって接続されている。該ブースタ圧縮機（53）の吐出側には、低圧ガス管（15）より分岐した分岐ガス管（16）が接続されている。該分岐ガス管（16）には、逆止弁（7）とオイルセパレータ（55）とが設けられている。該オイルセパレータ（55）と接続ガス管（54）との間には、キャピラリチューブ（56）を有する油戻し管（57）が接続されている。
【００８３】
上記ブースタ圧縮機（53）は、冷凍熱交換器（51）の冷媒蒸発温度が冷蔵熱交換器（45）の冷媒蒸発温度より低くなるように第１系統の圧縮機構（2D）との間で冷媒を２段圧縮している。上記冷凍熱交換器（51）の冷媒蒸発温度は、例えば、−３５℃に設定されている。
【００８４】
尚、上記冷凍膨張弁（52）は、感温式膨張弁であって、感温筒が冷蔵熱交換器（45）のガス側に取り付けられている。上記冷凍熱交換器（51）は、例えば、クロスフィン式のフィン・アンド・チューブ型熱交換器であって、冷却ファンである冷凍ファン（58）が近接して配置されている。
【００８５】
また、上記ブースタ圧縮機（53）の吸込側である接続ガス管（54）とブースタ圧縮機（53）の吐出側である分岐ガス管（16）の逆止弁（7）の下流側との間には、逆止弁（7）を有するバイパス管（59）が接続されている。該バイパス管（59）は、ブースタ圧縮機（53）の故障等の停止時に該ブースタ圧縮機（53）をバイパスして冷媒が流れるように構成されている。
【００８６】
〈制御系統〉
上記冷媒回路（1E）には、各種センサ及び各種スイッチが設けられている。上記室外ユニット（1A）の高圧ガス管（8）には、高圧冷媒圧力を検出する圧力検出手段である高圧圧力センサ（61）と、高圧冷媒温度を検出する温度検出手段である吐出温度センサ（62）とが設けられている。上記第２ノンインバータ圧縮機（2C）の吐出管（5c）には、高圧冷媒温度を検出する温度検出手段である吐出温度センサ（63）が設けられている。また、上記インバータ圧縮機（2A）、第１ノンインバータ圧縮機（2B）及び第２ノンインバータ圧縮機（2C）の各吐出管（5a，5b，5c）には、それぞれ、高圧冷媒圧力が所定値になると開く圧力スイッチ（64）が設けられている。
【００８７】
上記インバータ圧縮機（2A）及び第２ノンインバータ圧縮機（2C）の各吸入管（6a，6c）には、低圧冷媒圧力を検出する圧力検出手段である低圧圧力センサ（65，66）と、低圧冷媒温度を検出する温度検出手段である吸入温度センサ（67，68）とが設けられている。
【００８８】
上記室外熱交換器（4）には、室外熱交換器（4）における冷媒温度である蒸発温度又は凝縮温度を検出する温度検出手段である室外熱交換センサ（69）が設けられている。また、上記室外ユニット（1A）には、室外空気温度を検出する温度検出手段である外気温センサ（70）が設けられている。
【００８９】
上記室内熱交換器（41）には、室内熱交換器（41）における冷媒温度である凝縮温度又は蒸発温度を検出する温度検出手段である室内熱交換センサ（71）が設けられると共に、ガス側にガス冷媒温度を検出する温度検出手段であるガス温センサ（72）が設けられている。また、上記室内ユニット（1B）には、室内空気温度を検出する温度検出手段である室温センサ（73）が設けられている。
【００９０】
上記冷蔵ユニット（1C）には、冷蔵用のショーケース内の庫内温度を検出する温度検出手段である冷蔵温度センサ（74）が設けられている。上記冷凍ユニット（1D）には、冷凍用のショーケース内の庫内温度を検出する温度検出手段である冷凍温度センサ（75）が設けられている。また、ブースタ圧縮機（53）の吐出側には、吐出冷媒圧力が所定値になると開く圧力スイッチ（64）が設けられている。
【００９１】
上記各種センサ及び各種スイッチの出力信号は、コントローラ（80）に入力される。このコントローラ（80）は、冷媒回路（1E）の運転を制御し、後述する８種類の運転モードを切り換えて制御するように構成されている。そして、該コントローラ（80）は、運転時に、インバータ圧縮機（2A）の起動、停止及び容量制御や、第１ノンインバータ圧縮機（2B）及び第２ノンインバータ圧縮機（2C）の起動及び停止、さらには室外膨張弁（26）及び室内膨張弁（42）の開度調節などに関して制御を行うとともに、各四路切換弁（3A，3B，3C）の切り換えや、油戻し管（31a，31b）及び均油管（32，33，34，35）の電磁弁（SV0，SV1，SV2，SV3，SV4，SV5）についての開閉操作やリキッドインジェクション管（27）の電子膨張弁（29）の開度制御なども行う。
【００９２】
〈連絡配管〉
液側連絡液管（11A，11B）は、室外ユニット（1A）から出たところでは１本の基管（11）にまとめられており、冷蔵・冷凍用の第１系統側回路と空調用の第２系統側回路の２つの液ラインが、この１本の基管（11）を共用している。この基管（11）は利用側の各ユニット（1B，1C，1D）の近傍で各系統の分岐管（11a，11b）に分岐している。そして、基管（11）と第１分岐管（11a）とにより第１連絡液管（11A）が構成され、基管（11）と第２分岐管（11b）とにより第２連絡液管（11B）が構成されている。
【００９３】
上記基管（11）は、冷蔵・冷凍用の第１系統側回路における吸入ガスラインである低圧ガス管（15）と接触した状態で併設されている。そして、基管（11）と低圧ガス管（15）の周囲には、伝熱材としてアルミニウムのテープ材（12）が巻き付けられて、これらの２本の連絡配管（11，15）が伝熱材（12）により包囲されている。これにより、両連絡配管（11，15）の接触した部分が、液冷媒と低圧ガス冷媒とが熱交換を行う熱交換器を構成している。
【００９４】
この冷凍装置（1）は、室外ユニット（1A）、室内ユニット（1B）、冷蔵ユニット（1C）、及び冷凍ユニット（1D）をそれぞれ据え付けた後、各ユニット（1A，1B，1C，1D）を３本の連絡配管（11，15，17）で接続し、さらに閉鎖弁（20）を開くことにより、冷媒回路（1E）において冷媒が循環可能な状態となる。この冷凍装置（1）では、冷媒回路（1E）が冷蔵冷凍の第１系統と空調の第２系統を有しているが、第１，第２連絡液管（11A，11B）の基管（11）は１本で共通化されており、各系統の連絡液管を個別の配管にするよりも配管の接続作業を容易に行うことができる。
【００９５】
−運転動作−
次に、上記冷凍装置（1）が行う運転動作について各運転毎に説明する。この実施形態１では、例えば８種類の運転モードを設定することができるように構成されている。具体的には、<i>室内ユニット（1B）の冷房のみを行う冷房運転、<ii>冷蔵ユニット（1C）と冷凍ユニット（1D）の冷却のみを行う冷凍運転、<iii>室内ユニット（1B）の冷房と冷蔵ユニット（1C）及び冷凍ユニット（1D）の冷却とを同時に行う第１冷房冷凍運転、<iv>第１冷房冷凍運転時の室内ユニット（1B）の冷房能力が不足した場合の運転である第２冷房冷凍運転、<v>室内ユニット（1B）の暖房のみを行う暖房運転、<vi>室内ユニット（1B）の暖房と冷蔵ユニット（1C）及び冷凍ユニット（1D）の冷却を室外熱交換器（4）を用いずに熱回収運転で行う第１暖房冷凍運転、<vii>第１暖房冷凍運転時に室内ユニット（1B）の暖房能力が余る暖房の能力過剰運転である第２暖房冷凍運転、そして<viii>第１暖房冷凍運転時に室内ユニット（1B）の暖房能力が不足する暖房の能力不足運転である第３暖房冷凍運転が可能に構成されている。
【００９６】
以下、個々の運転の動作について具体的に説明する。
【００９７】
〈冷房運転〉
この冷房運転は、室内ユニット（1B）の冷房のみを行う運転である。この冷房運転時は、図２に示すように、インバータ圧縮機（2A）が第１系統の圧縮機構（2D）を構成し、第１ノンインバータ圧縮機（2B）と第２ノンインバータ圧縮機（2C）とが第２系統の圧縮機構（2E）を構成する。そして、上記第２系統の圧縮機構（2E）である第１ノンインバータ圧縮機（2B）及び第２ノンインバータ圧縮機（2C）のみを駆動する。
【００９８】
また、図２の実線で示すように、第１四路切換弁（3A）及び第２四路切換弁（3B）はそれぞれ第１の状態に切り換わり、第３四路切換弁（3C）は第２の状態に切り換わる。また、室外膨張弁（26）、リキッドインジェクション管（27）の電子膨張弁（29）、冷蔵ユニット（1C）の電磁弁（7a）及び冷凍ユニット（1D）の電磁弁（7b）は閉鎖している。
【００９９】
この状態において、第１ノンインバータ圧縮機（2B）及び第２ノンインバータ圧縮機（2C）から吐出した冷媒は、第１四路切換弁（3A）から室外ガス管（9）を経て室外熱交換器（4）に流れて凝縮する。凝縮した液冷媒は、液管（10）を流れ、レシーバ（14）を経て連絡液管（11A，11B）の基管（11）を流れ、さらに第２分岐管（11b）を通って室内膨張弁（42）から室内熱交換器（41）に流れて蒸発する。蒸発したガス冷媒は、連絡ガス管（17）から第１四路切換弁（3A）及び第２四路切換弁（3B）を経て第２ノンインバータ圧縮機（2C）の吸入管（6c）を流れる。この低圧のガス冷媒の一部は第２ノンインバータ圧縮機（2C）に戻り、残りのガス冷媒は第２ノンインバータ圧縮機（2C）の吸入管（6c）から分岐管（6e）に分流し、第３四路切換弁（3C）を通って第１ノンインバータ圧縮機（2B）に戻る。冷媒が以上の循環を繰り返すことで、店内の冷房が行われる。
【０１００】
なお、この運転状態では、室内の冷房負荷に応じて、第１ノンインバータ圧縮機（2B）と第２ノンインバータ圧縮機（2C）の起動と停止や、室内膨張弁（42）の開度などが制御される。圧縮機（2B、2C）は１台のみを運転することも可能である。
【０１０１】
〈冷凍運転〉
冷凍運転は、冷蔵ユニット（1C）と冷凍ユニット（1D）の冷却のみを行う運転である。この冷凍運転時は、図３に示すように、インバータ圧縮機（2A）と第１ノンインバータ圧縮機（2B）とが第１系統の圧縮機構（2D）を構成し、第２ノンインバータ圧縮機（2C）が第２系統の圧縮機構（2E）を構成する。そして、上記第１系統の圧縮機構（2D）であるインバータ圧縮機（2A）及び第１ノンインバータ圧縮機（2B）を駆動すると共に、ブースタ圧縮機（53）も駆動する一方、第２ノンインバータ圧縮機（2C）は停止している。
【０１０２】
また、図３の実線で示すように、第１四路切換弁（3A）及び第２四路切換弁（3B）は第１の状態に切り換わり、第３四路切換弁（3C）も第１の状態に切り換わる。さらに、冷蔵ユニット（1C）の電磁弁（7a）及び冷凍ユニット（1D）の電磁弁（7b）が開口される一方、室外膨張弁（26）及び室内膨張弁（42）が閉鎖している。また、リキッドインジェクション管（27）の電子膨張弁（29）は所定流量の液冷媒を流すように所定開度に設定されている。
【０１０３】
この状態において、インバータ圧縮機（2A）及び第１ノンインバータ圧縮機（2B）から吐出した冷媒は、第１四路切換弁（3A）から室外ガス管（9）を経て室外熱交換器（4）に流れて凝縮する。凝縮した液冷媒は、液管（10）を流れ、レシーバ（14）を経て連絡液管（11A，11B）の基管（11）から第１分岐管（11a）を流れ、一部が冷蔵膨張弁（46）を経て冷蔵熱交換器（45）に流れて蒸発する。
【０１０４】
一方、第１分岐管（11a）を流れる他の液冷媒は、分岐液管（13）を流れ、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【０１０５】
上記冷蔵熱交換器（45）で蒸発したガス冷媒とブースタ圧縮機（53）から吐出したガス冷媒とは、低圧ガス管（15）で合流し、インバータ圧縮機（2A）及び第１ノンインバータ圧縮機（2B）に戻る。冷媒が以上の循環を繰り返すことで、冷蔵用ショーケースと冷凍用ショーケースの庫内が冷却される。
【０１０６】
上記冷凍熱交換器（51）における冷媒圧力は、ブースタ圧縮機（53）で吸引されるので、冷蔵熱交換器（45）における冷媒圧力より低圧となる。この結果、例えば、上記冷凍熱交換器（51）における冷媒温度（蒸発温度）が−３５℃となり、上記冷蔵熱交換器（45）における冷媒温度（蒸発温度）が−１０℃となる。
【０１０７】
この冷凍運転時には、例えば低圧圧力センサ（65）が検出する低圧冷媒圧力（LP）に基づいて第１ノンインバータ圧縮機（2B）の起動と停止やインバータ圧縮機（2A）の起動、停止または容量制御を行い、冷凍負荷に応じた運転を行う。
【０１０８】
例えば、圧縮機構（2D）の容量を増大する制御は、まず第１ノンインバータ圧縮機（2B）が停止した状態でインバータ圧縮機（2A）を駆動する。インバータ圧縮機（2A）が最大容量に上昇した後にさらに負荷が増大すると、第１ノンインバータ圧縮機（2B）を駆動すると同時にインバータ圧縮機（2A）を最低容量に減少させる。その後、さらに負荷が増加すると、第１ノンインバータ圧縮機（2B）を起動したままでインバータ圧縮機（2A）の容量を上昇させる。圧縮機容量の減少制御では、この増大制御と逆の動作が行われる。
【０１０９】
また、上記冷蔵膨張弁（46）及び冷凍膨張弁（52）の開度は、感温筒による過熱度制御が行われる。この点は、以下の各運転でも同じである。
【０１１０】
そして、この運転中に冷媒が冷媒回路（1E）を循環する際に、連絡液管（11A，11B）の基管（11）を流れる液冷媒は、低圧ガス管（15）を流れる低圧ガス冷媒と熱交換し、過冷却される。このため、過冷却をしない場合よりも、冷蔵熱交換器（45）及び冷凍熱交換器（51）における冷媒のエンタルピ差が大きくなり、高い冷凍能力が発揮される。
【０１１１】
一方、吸入側のガス冷媒は液冷媒との熱交換により過熱度が大きくなった場合でも、このガス冷媒にリキッドインジェクション管（27）から液冷媒を混合することにより、圧縮機構（2D）において過熱度が大きくなり過ぎることは防止できる。
【０１１２】
〈第１冷房冷凍運転〉
この第１冷房冷凍運転は、室内ユニット（1B）の冷房と冷蔵ユニット（1C）及び冷凍ユニット（1D）の冷却とを同時に行う運転である。この第１冷房冷凍運転時は、図４に示すように、インバータ圧縮機（2A）と第１ノンインバータ圧縮機（2B）とが第１系統の圧縮機構（2D）を構成し、第２ノンインバータ圧縮機（2C）が第２系統の圧縮機構（2E）を構成する。そして、上記インバータ圧縮機（2A）、第１ノンインバータ圧縮機（2B）及び第２ノンインバータ圧縮機（2C）を駆動すると共に、ブースタ圧縮機（53）も駆動する。
【０１１３】
また、第１四路切換弁（3A）、第２四路切換弁（3B）及び第３四路切換弁（3C）は、図４の実線で示すように、それぞれ第１の状態に切り換わる。さらに、冷蔵ユニット（1C）の電磁弁（7a）及び冷凍ユニット（1D）の電磁弁（7b）が開口される一方、室外膨張弁（26）は閉鎖している。また、リキッドインジェクション管（27）の電子膨張弁（29）は、圧縮機構（2D）の吸入側に所定流量の液冷媒を供給するように開度が制御されている。
【０１１４】
この状態において、インバータ圧縮機（2A）と第１ノンインバータ圧縮機（2B）と第２ノンインバータ圧縮機（2C）から吐出した冷媒は、高圧ガス管（8）で合流し、第１四路切換弁（3A）から室外ガス管（9）を経て室外熱交換器（4）に流れて凝縮する。凝縮した液冷媒は、液管（10）を流れ、レシーバ（14）を経て連絡液管（11A，11B）の基管（11）に流れる。
【０１１５】
上記連絡液管（11A，11B）の基管（11）を流れる液冷媒は、一部が第２分岐管（11b）に分岐し、室内膨張弁（42）を経て室内熱交換器（41）に流れて蒸発する。蒸発したガス冷媒は、連絡ガス管（17）から第１四路切換弁（3A）及び第２四路切換弁（3B）を経て吸入管（6c）を流れて第２ノンインバータ圧縮機（2C）に戻る。
【０１１６】
一方、上記連絡液管（11A，11B）の基管（11）を流れる液冷媒は、一部が第１分岐管（11a）に分岐する。この冷媒は、その一部が冷蔵膨張弁（46）を経て冷蔵熱交換器（45）に流れて蒸発する。また、上記第１分岐管（11a）を流れる他の液冷媒は、分岐液管（13）に分岐し、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【０１１７】
上記冷蔵熱交換器（45）で蒸発したガス冷媒とブースタ圧縮機（53）から吐出されたガス冷媒とは、低圧ガス管（15）で合流し、インバータ圧縮機（2A）及び第１ノンインバータ圧縮機（2B）に戻る。
【０１１８】
冷媒が以上のように循環を繰り返すことにより、店内が冷房されると同時に、冷蔵用ショーケースと冷凍用ショーケースの庫内が冷却される。
【０１１９】
この第１冷房冷凍運転時における冷媒挙動を図５のモリエル線図に基づいて説明する。
【０１２０】
まず、上記第２ノンインバータ圧縮機（2C）によって冷媒がＡ点まで圧縮される。また、上記インバータ圧縮機（2A）及び第１ノンインバータ圧縮機（2B）によって冷媒がＢ点まで圧縮される。Ａ点の冷媒とＢ点の冷媒とは合流し、凝縮してＣ１点の冷媒となる。Ｃ１点の冷媒は、インバータ圧縮機（2A）及び第１ノンインバータ圧縮機（2B）への吸入ガス冷媒と熱交換をすることにより、過冷却の状態（Ｃ２点）になる。
【０１２１】
Ｃ２点の冷媒の一部は、室内膨張弁（42）でＤ点まで減圧し、例えば、＋５℃で蒸発し、Ｅ点で第２ノンインバータ圧縮機（2C）に吸引される。
【０１２２】
また、上記Ｃ２点の冷媒の一部は、冷蔵膨張弁（46）でＦ点まで減圧し、例えば、−１０℃で蒸発する。
【０１２３】
上記Ｃ２点の冷媒の一部は、ブースタ圧縮機（53）で吸引されるので、冷凍膨張弁（52）でＨ点まで減圧し、例えば、−３５℃で蒸発し、Ｉ点でブースタ圧縮機（53）に吸引される。ブースタ圧縮機（53）でＪ点まで圧縮された冷媒は、冷蔵熱交換器（45）からの冷媒と合流するとともに、Ｃ１点の液冷媒の一部を電子膨張弁（29）でＬ点まで減圧した冷媒と混合すること（リキッドインジェクション）によりＧ点に状態変化した後、第１インバータ圧縮機（2A）及び第２インバータ圧縮機（2B）に吸引される。
【０１２４】
このように、冷媒回路（1E）の冷媒は、第１系統の圧縮機構（2D）と第２系統の圧縮機構（2E）によって異温度蒸発し、さらに、ブースタ圧縮機（53）による２段圧縮によって３種類の蒸発温度となる。
【０１２５】
また、この運転中に冷媒が循環する際に、連絡液管（11A，11B）の基管（11）を流れる液冷媒は、低圧ガス管（15）を流れる低圧ガス冷媒と熱交換し、過冷却される。このため、過冷却をしない場合よりも、空調熱交換器（41）、冷蔵熱交換器（45）及び冷凍熱交換器（51）における冷媒のエンタルピ差が大きくなり、高い冷凍能力が発揮される。
【０１２６】
また、リキッドインジェクションをすることで吸入側のガス冷媒に液冷媒が混合されるので、圧縮行程において冷媒の過熱度が大きくなり過ぎることはない。
【０１２７】
〈第２冷房冷凍運転〉
第２冷房冷凍運転は、上記第１冷房冷凍運転時の室内ユニット（1B）の冷房能力が不足した場合の運転であり、第１ノンインバータ圧縮機（2B）を空調側に切り換えた運転である。この第２冷房冷凍運転時の設定は、図６に示すように、基本的に第１冷房冷凍運転時と同様であるが、第３四路切換弁（3C）が第２の状態に切り換わる点が第１冷房冷凍運転と異なる。
【０１２８】
したがって、この第２冷房冷凍運転時においては、第１冷房冷凍運転と同様に、インバータ圧縮機（2A）、第１ノンインバータ圧縮機（2B）及び第２ノンインバータ圧縮機（2C）から吐出した冷媒は、室外熱交換器（4）で凝縮し、室内熱交換器（41）と冷蔵熱交換器（45）と冷凍熱交換器（51）で蒸発する。
【０１２９】
そして、上記室内熱交換器（41）で蒸発した冷媒は、第１ノンインバータ圧縮機（2B）及び第２ノンインバータ圧縮機（2C）に戻り、冷蔵熱交換器（45）及び冷凍熱交換器（51）で蒸発した冷媒は、インバータ圧縮機（2A）に戻ることになる。空調側に２台の圧縮機（2B，2C）を使うことで、冷房能力の不足が補われる。
【０１３０】
なお、第１冷房冷凍運転と第２冷房冷凍運転の具体的な切り換え制御については省略する。
【０１３１】
この第２冷房冷凍運転においても、液冷媒の過冷却による能力向上を図ることができる。
【０１３２】
〈暖房運転〉
この暖房運転は、室内ユニット（1B）の暖房のみを行う運転である。この暖房運転時は、図７に示すように、インバータ圧縮機（2A）が第１系統の圧縮機構（2D）を構成し、第１ノンインバータ圧縮機（2B）と第２ノンインバータ圧縮機（2C）とが第２系統の圧縮機構（2E）を構成する。そして、上記第２系統の圧縮機構（2E）である第１ノンインバータ圧縮機（2B）及び第２ノンインバータ圧縮機（2C）のみを駆動する。
【０１３３】
また、図７の実線で示すように、第１四路切換弁（3A）は第２の状態に切り換わり、第２四路切換弁（3B）は第１の状態に切り換わり、第３四路切換弁（3C）は第２の状態に切り換わる。一方、リキッドインジェクション管（27）の電子膨張弁（29）、冷蔵ユニット（1C）の電磁弁（7a）及び冷凍ユニット（1D）の電磁弁（7b）は閉鎖している。さらに、室内膨張弁（42）は開放され、上記室外膨張弁（26）は所定開度に制御されている。
【０１３４】
この状態において、第１ノンインバータ圧縮機（2B）及び第２ノンインバータ圧縮機（2C）から吐出した冷媒は、第１四路切換弁（3A）から連絡ガス管（17）を経て室内熱交換器（41）に流れて凝縮する。凝縮した液冷媒は、第２連絡液管（11B）の第２分岐管（11b）から基管（11）を流れ、さらにその高圧圧力によりリリーフバルブ（37）を開口しながら液分岐管（36）を通過し、レシーバ（14）に流入する。その後、上記液冷媒は、補助液管（25）の室外膨張弁（26）を経て室外熱交換器（4）に流れて蒸発する。蒸発したガス冷媒は、室外ガス管（9）から第１四路切換弁（3A）及び第２四路切換弁（3B）を経て第２ノンインバータ圧縮機（2C）の吸入管（6c）を流れ、第１ノンインバータ圧縮機（2B）及び第２ノンインバータ圧縮機（2C）に戻る。この循環を繰り返し、室内が暖房される。
【０１３５】
なお、冷房運転と同様、圧縮機（2B，2C）は１台で運転することも可能である。
【０１３６】
〈第１暖房冷凍運転〉
この第１暖房冷凍運転は、室外熱交換器（4）を用いず、室内ユニット（1B）の暖房と冷蔵ユニット（1C）及び冷凍ユニット（1D）の冷却を行う熱回収運転である。この第１暖房冷凍運転は、図８に示すように、インバータ圧縮機（2A）と第１ノンインバータ圧縮機（2B）とが第１系統の圧縮機構（2D）を構成し、第２ノンインバータ圧縮機（2C）が第２系統の圧縮機構（2E）を構成する。そして、上記インバータ圧縮機（2A）及び第１ノンインバータ圧縮機（2B）を駆動すると共に、ブースタ圧縮機（53）も駆動する。上記第２ノンインバータ圧縮機（2C）は、停止している。
【０１３７】
また、図８の実線で示すように、第１四路切換弁（3A）は第２の状態に切り換わり、第２四路切換弁（3B）及び第３四路切換弁（3C）は第１の状態に切り換わる。さらに、冷蔵ユニット（1C）の電磁弁（7a）及び冷凍ユニット（1D）の電磁弁（7b）が開口する一方、室外膨張弁（26）が閉鎖している。リキッドインジェクション管（27）の電子膨張弁（29）は所定開度に制御され、冷媒流量を調整している。
【０１３８】
この状態において、インバータ圧縮機（2A）と第１ノンインバータ圧縮機（2B）から吐出した冷媒は、第１四路切換弁（3A）から連絡ガス管（17）を経て室内熱交換器（41）に流れて凝縮する。凝縮した液冷媒は、連絡液管（11A，11B）の第２分岐管（11b）から基管（11）の手前で第１分岐管（11a）へ流れる。
【０１３９】
この第１分岐管（11a）を流れる液冷媒の一部は冷蔵膨張弁（46）を経て冷蔵熱交換器（45）に流れて蒸発する。また、上記第１分岐管（11a）を流れる他の液冷媒は、分岐液管（13）を流れ、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【０１４０】
上記冷蔵熱交換器（45）で蒸発したガス冷媒とブースタ圧縮機（53）から吐出したガス冷媒とは、低圧ガス管（15）で合流し、インバータ圧縮機（2A）及び第１ノンインバータ圧縮機（2B）に戻る。この循環を繰り返し、店内を暖房すると同時に、冷蔵用ショーケースと冷凍用ショーケースの庫内を冷却する。この第１暖房冷凍運転中は、冷蔵ユニット（1C）と冷凍ユニット（1D）との冷却能力（蒸発熱量）と、室内ユニット（1B）の暖房能力（凝縮熱量）とがバランスし、１００％の熱回収が行われる。
【０１４１】
尚、上記第２分岐管（11b）から第１分岐管（11a）へ流れる液冷媒の量が不足するような場合、レシーバ（14）から連絡液管（11A，11B）の基管（11）を通って第１分岐管（11a）へ液冷媒が吸引される。この液冷媒は、連絡液管（11A，11B）の基管（11）が低圧ガス管（15）と併設された部分で低圧ガス冷媒により過冷却されて冷蔵熱交換器（45）及び冷凍熱交換器（51）へ流れる。したがって、第２分岐管（11b）から第１分岐管（11a）へ向かう液冷媒の一部がフラッシュしているような場合でも、フラッシュガスは凝縮して液になってから各熱交換器（45，51）へ供給される。
【０１４２】
一方、低外気温時にはレシーバ（14）内の圧力が下がるため、液分岐管（36）にリリーフバルブ（37）を設けていない場合には連絡液管（11A，11B）の基管（11）の圧力も下がり、室内熱交換器（41）で凝縮した液冷媒が冷蔵熱交換器（45）及び冷凍熱交換器（51）の方へ流れずに、第２連絡液管（11b）の第２分岐管（11b）から基管（11）を通ってレシーバ（14）へ流入するおそれがある。しかし、この実施形態１では液分岐管（36）にリリーフバルブ（37）を設けているので、液冷媒がレシーバ（14）に流入するのを防止できる。つまり、上記リリーフバルブ（37）により連絡液管（11A，11B）の基管（11）が低圧にならないようにすることにより、室内熱交換器（41）を出た液冷媒を冷蔵熱交換器（45）及び冷凍熱交換器（51）に確実に導入し、膨張機構（46，52）の手前側を満液状態にすることが可能となり、これらの冷蔵熱交換器（45）及び冷凍熱交換器（51）における冷媒流量不足による能力低下を確実に防止できる。
【０１４３】
〈第２暖房冷凍運転〉
この第２暖房冷凍運転は、上記第１暖房冷凍運転時に室内ユニット（1B）の暖房能力が余る暖房の能力過剰運転である。この第２暖房冷凍運転時は、図９に示すように、インバータ圧縮機（2A）と第１ノンインバータ圧縮機（2B）とが第１系統の圧縮機構（2D）を構成し、第２ノンインバータ圧縮機（2C）が第２系統の圧縮機構（2E）を構成する。そして、上記インバータ圧縮機（2A）及び第１ノンインバータ圧縮機（2B）を駆動すると共に、ブースタ圧縮機（53）も駆動する。上記第２ノンインバータ圧縮機（2C）は、停止している。
【０１４４】
この第２暖房冷凍運転は、上記第１暖房冷凍運転時において、暖房能力が余る場合の運転であり、第２四路切換弁（3B）が図９の実線で示すように第２の状態に切り換わっている他は、上記第１暖房冷凍運転と同じである。
【０１４５】
したがって、インバータ圧縮機（2A）と第１ノンインバータ圧縮機（2B）から吐出した冷媒の一部は、上記第１暖房冷凍運転と同様に室内熱交換器（41）に流れて凝縮する。凝縮した液冷媒は、連絡液管（11A，11B）の第２分岐管（11b）から基管（11）の手前で第１分岐管（11a）へ流れる。
【０１４６】
一方、上記インバータ圧縮機（2A）と第１ノンインバータ圧縮機（2B）から吐出した他の冷媒は、補助ガス管（19）から第２四路切換弁（3B）及び第１四路切換弁（3A）を経て室外ガス管（9）を流れ、室外熱交換器（4）で凝縮する。この凝縮した液冷媒は、液管（10）を流れるときにレシーバ（14）を通り、連絡液管（11A，11B）の基管（11）を経て第１分岐管（11a）へ流れて第２分岐管（11b）からの冷媒と合流する。
【０１４７】
その後、上記第１分岐管（11a）を流れる液冷媒の一部は冷蔵熱交換器（45）に流れて蒸発する。また、この第１分岐管（11a）を流れる他の液冷媒は、冷凍熱交換器（51）に流れて蒸発し、ブースタ圧縮機（53）に吸入される。上記冷蔵熱交換器（45）で蒸発したガス冷媒とブースタ圧縮機（53）から吐出したガス冷媒とは、低圧ガス管（15）で合流し、インバータ圧縮機（2A）及び第１ノンインバータ圧縮機（2B）に戻る。
【０１４８】
冷蔵熱交換器（45）からの吸入側のガス冷媒が、低圧ガス管（15）を流れるときに連絡液管（11A，11B）の基管（11）を流れる液冷媒と熱交換して、連絡液管（11A，11B）の基管（11）を流れる液冷媒が過冷却される。この液冷媒は、第２分岐管（11b）からの液冷媒と合流し、冷蔵熱交換器（45）及び冷凍熱交換器（51）へ流れる。したがって、冷媒を過冷却しない場合よりも、冷蔵熱交換器（45）及び冷凍熱交換器（51）における冷媒のエンタルピ差が大きくなり、高い冷凍能力が発揮される。一方、ガス冷媒が液冷媒との熱交換により過熱されたとしても、リキッドインジェクションにより液冷媒と混合することにより、圧縮行程で過熱度が大きくなり過ぎることは防止できる。
【０１４９】
この第２冷房冷凍運転時における冷媒挙動を図１０のモリエル線図に基づいて説明する。
【０１５０】
上記インバータ圧縮機（2A）と第１ノンインバータ圧縮機（2B）によって冷媒がＡ点まで圧縮される。Ａ点の冷媒は、一部が室内熱交換器（41）で凝縮してＣ１点の冷媒となる。また、Ａ点の冷媒は、他の一部が室外熱交換器（4）で凝縮してＣ１点の冷媒となった後、連絡液管（11A，11B）の基管（11）を流れるときにインバータ圧縮機（2A）及び第１ノンインバータ圧縮機（2B）への吸入ガス冷媒（Ｇ点の冷媒）と熱交換をすることにより、Ｃ２点まで過冷却される。
【０１５１】
Ｃ１点の冷媒とＣ２点の冷媒は合流し、Ｃ３点に変化する。Ｃ３点の冷媒の一部は、冷蔵膨張弁（46）でＦ点まで減圧し、例えば−１０℃で蒸発する。
【０１５２】
また、上記Ｃ３点の冷媒の一部は、ブースタ圧縮機（53）で吸引されるので、冷凍膨張弁（52）でＨ点まで減圧し、例えば−３５℃で蒸発し、Ｉ点でブースタ圧縮機（53）に吸引される。このブースタ圧縮機（53）でＪ点まで圧縮された冷媒は、冷蔵熱交換器（45）からの冷媒と合流するとともに、Ｃ１点の液冷媒の一部を電子膨張弁（29）でＬ点まで減圧した冷媒と混合すること（リキッドインジェクション）によりＧ点に状態変化した後、第１インバータ圧縮機（2A）及び第２インバータ圧縮機（2B）に吸引される。
【０１５３】
この第２暖房冷凍運転時には、以上の循環を繰り返し、店内を暖房すると同時に、冷蔵用ショーケースと冷凍用ショーケースの庫内を冷却する。このとき、冷蔵ユニット（1C）と冷凍ユニット（1D）との冷却能力（蒸発熱量）と、室内ユニット（1B）の暖房能力（凝縮熱量）とがバランスせず、余る凝縮熱を室外熱交換器（4）で室外に放出する。
【０１５４】
〈第３暖房冷凍運転〉
この第３暖房冷凍運転は、上記第１暖房冷凍運転時に室内ユニット（1B）の暖房能力が不足する暖房の能力不足運転である。この第３暖房冷凍運転は、図１１に示すように、インバータ圧縮機（2A）と第１ノンインバータ圧縮機（2B）とが第１系統の圧縮機構（2D）を構成し、第２ノンインバータ圧縮機（2C）が第２系統の圧縮機構（2E）を構成する。そして、上記インバータ圧縮機（2A）、第１ノンインバータ圧縮機（2B）、及び第２ノンインバータ圧縮機（2C）を駆動すると共に、ブースタ圧縮機（53）も駆動する。
【０１５５】
この第３暖房冷凍運転は、上記第１暖房冷凍運転時において、暖房能力が不足する場合の運転で、つまり、蒸発熱量が不足している場合であり、室外膨張弁（26）の開度が制御され、第２ノンインバータ圧縮機（2C）が駆動されている点の他は、上記第１暖房冷凍運転と同じである。
【０１５６】
したがって、インバータ圧縮機（2A）と第１ノンインバータ圧縮機（2B）と第２ノンインバータ圧縮機（2C）から吐出した冷媒は、上記第１暖房冷凍運転と同様に連絡ガス管（17）を経て室内熱交換器（41）に流れて凝縮する。凝縮した液冷媒は、連絡液管（11A，11B）の第２分岐管（11b）から第１分岐管（11a）と基管（11）とに分流する。
【０１５７】
第１分岐管（11a）を流れる液冷媒は、一部が冷蔵熱交換器（45）に流れて蒸発する。また、上記第１分岐管（11a）を流れる他の液冷媒は、冷凍熱交換器（51）に流れて蒸発し、ブースタ圧縮機（53）に吸入される。上記冷蔵熱交換器（45）で蒸発したガス冷媒とブースタ圧縮機（53）から吐出したガス冷媒とは、低圧ガス管（15）で合流し、インバータ圧縮機（2A）と第１ノンインバータ圧縮機（2B）に戻る。
【０１５８】
一方、室内熱交換器（41）で凝縮した後、連絡液管（11A，11B）の基管（11）を流れる液冷媒は、その高圧圧力によりリリーフバルブ（37）を開口しながら液分岐管（36）を流れてレシーバ（14）に流入し、さらに室外膨張弁（26）を経て室外熱交換器（4）に流れ、蒸発する。蒸発したガス冷媒は、室外ガス管（9）を流れ、第１四路切換弁（3A）及び第２四路切換弁（3B）を経て第２ノンインバータ圧縮機（2C）の吸入管（6c）を流れ、該第２ノンインバータ圧縮機（2C）に戻る。
【０１５９】
この第３冷房冷凍運転時における冷媒挙動を図１２のモリエル線図に基づいて説明する。
【０１６０】
上記第２ノンインバータ圧縮機（2C）によって冷媒がＡ点まで圧縮される。また、上記インバータ圧縮機（2A）及び第１ノンインバータ圧縮機（2B）によって冷媒がＢ点まで圧縮される。Ａ点の冷媒とＢ点の冷媒とは合流し、室内熱交換器（41）で凝縮してＣ１点の冷媒となる。
【０１６１】
Ｃ１点の冷媒の一部は、冷蔵膨張弁（46）でＦ点まで減圧し、例えば、−１０℃で蒸発する。また、上記Ｃ１点の冷媒の一部は、ブースタ圧縮機（53）で吸引されるので、冷凍膨張弁（52）でＨ点まで減圧し、例えば、−３５℃で蒸発し、Ｉ点でブースタ圧縮機（53）に吸引される。このブースタ圧縮機（53）でＪ点まで圧縮された冷媒は、冷蔵熱交換器（45）からの冷媒と合流する。
【０１６２】
冷蔵熱交換器（45）からのガス冷媒は、上記室内熱交換器（41）から連絡配管（11A，11B）の基管（11）を流れるＣ１点の液冷媒と熱交換をする。これにより、連絡液管（11A，11B）の基管（11）を流れる液冷媒がＣ２点まで過冷却される。
【０１６３】
Ｃ２点の冷媒は、室外膨張弁（26）でＤ点まで減圧し、例えば、−５℃で蒸発し、Ｅ点で第２インバータ圧縮機（2C）に吸引される。
【０１６４】
また、冷蔵熱交換器（45）からのガス冷媒と、ブースタ圧縮機（53）でＪ点まで圧縮されたガス冷媒とが合流した冷媒は、Ｃ２点の液冷媒を電子膨張弁（29）でＬ点まで減圧した冷媒が混合（リキッドインジェクション）されることにより、Ｇ点に変化する。そして、このＧ点の冷媒が、第１インバータ圧縮機（2A）及び第２インバータ圧縮機（2B）に吸引される。
【０１６５】
この循環を繰り返し、店内を暖房すると同時に、冷蔵用ショーケースと冷凍用ショーケースの庫内を冷却する。つまり、冷蔵ユニット（1C）と冷凍ユニット（1D）との冷却能力（蒸発熱量）と、室内ユニット（1B）の暖房能力（凝縮熱量）とがバランスせず、不足する蒸発熱を室外熱交換器（4）から得る。
【０１６６】
−実施形態１の効果−
この実施形態１によれば、冷蔵・冷凍系統と空調系統の液ラインで連絡液管（11A，11B）の基管（11）を共用するとともに、該連絡液管（11A，11B）の基管（11）を冷蔵・冷凍系統におけるガスラインの低圧ガス管（15）と接触状態で併設することにより、液冷媒を低圧ガス冷媒によって過冷却するようにしているので、よりエンタルピの低い冷媒を利用側熱交換器（41，45，51）へ供給できる。このため、利用側熱交換器（41，45，51）の出入口における冷媒のエンタルピ差が大きくなり、配管長が長い場合などでも冷凍能力の低下を防止できる。
【０１６７】
また、複数系統の液ラインを連絡液管（11A，11B）の基管（11）で一本にまとめたことにより、連絡配管の合計本数が少なくなるため、配管の接続作業が容易になるとともに誤接続のおそれも少なくなる。
【０１６８】
また、冷媒回路（1E）を循環する液冷媒の一部を圧縮機構（2D，2E）の吸入側に供給するリキッドインジェクション管（27）を設けているので、液冷媒が吸入側ガス冷媒で過冷却されるときにガス冷媒の過熱度が大きくなった場合でも、リキッドインジェクションをすることによって、圧縮行程における冷媒の過熱度が過大になるのを防止できる。
【０１６９】
また、連絡液管（11A，11B）の基管（11）と低圧ガス管（15）の周囲に伝熱材としてアルミニウムのテープ材（12）を巻き付けて、両配管（11，15）の周囲を伝熱材（12）により包囲しているので、該伝熱材（12）を介して液冷媒をガス冷媒で確実に過冷却することができる。この構成によれば、液冷媒の過冷却専用の熱交換器などは不要であり、構成が複雑化することもない。
【０１７０】
さらに、液分岐管（36）に逆流防止機構（液シール機構）としてリリーフバルブ（37）を設けているので、１００％熱回収運転である第１暖房冷凍運転時に外気温が下がってレシーバ（14）内の圧力が低下しても、室内熱交換器（41）を出た液冷媒がレシーバ（14）に流入するのを防止できる。つまり、リリーフバルブ（37）で連絡液管（11A，11B）の基管（11）が低圧になるのを防止できるため、室内熱交換器（41）を出た液冷媒を冷蔵熱交換器（45）及び冷凍熱交換器（51）に確実に導入することが可能となり、これらの冷蔵熱交換器（45）及び冷凍熱交換器（51）における冷媒流量不足による能力低下を確実に防止できる。
【０１７１】
《発明の実施形態２》
次に、本発明の実施形態２について説明する。図１３に示すように、この実施形態２では、圧縮機構（2D，2E）が２台の圧縮機（2A，2B）から構成されている。また、この実施形態２では、冷凍ユニット（1D）から独立したブースタユニット（1F）が設けられ、このブースタユニット（1F）内にブースタ圧縮機（53）が設けられている。
【０１７２】
以下、室外ユニット（1A）と冷凍ユニット（1D）とブースタユニット（1F）に関して、主に実施形態１と異なる点について説明する（実施形態１と同様に構成されている箇所については説明を省略する）。
【０１７３】
〈室外ユニット〉
室外ユニット（1A）は、第１圧縮機としてのインバータ圧縮機（2A）と、第２圧縮機としてのノンインバータ圧縮機（2B）とを備えると共に、第１四路切換弁（3A）、第２四路切換弁（3B）、及び第３四路切換弁（3C）と、熱源側熱交換器である室外熱交換器（4）とを備えている。
【０１７４】
上記インバータ圧縮機（2A）とノンインバータ圧縮機（2B）とは、この冷凍装置（1）の圧縮機構（2D，2E）を構成し、該圧縮機構（2D，2E）は、第１系統の圧縮機構（2D）と第２系統の圧縮機構（2E）とから構成されている。この実施形態２では、上記インバータ圧縮機（2A）とノンインバータ圧縮機（2B）は、いずれも、第１系統の圧縮機構（2D）を構成することも第２系統の圧縮機構（2E）を構成することも可能である。つまり、両圧縮機（2A，2B）は、いずれも冷蔵・冷凍用の第１系統側回路と空調用の第２系統側回路の両方で切り換えて使用できるようになっている。
【０１７５】
上記インバータ圧縮機（2A）及びノンインバータ圧縮機（2B）の各吐出管（5a，5b）は、１つの高圧ガス管（吐出配管）（8）に接続され、該高圧ガス管（8）が第１四路切換弁（3A）の１つのポートに接続されている。上記ノンインバータ圧縮機（2B）の吐出管（5b）には逆止弁（7）が設けられている。第１四路切換弁（3A）及び第２四路切換弁（3B）の周りの冷媒配管の構成は実施形態１と同じであるため、ここでは説明を省略する。
【０１７６】
上記インバータ圧縮機（2A）の吸入管（6a）は、第１系統側回路の低圧ガス管（低圧ガス側連絡配管）（15）に接続されている。ノンインバータ圧縮機（2B）の吸入管（6b）は、第２接続管（22）及び第１，第２四路切換弁（3A，3B）を介して第２系統側回路の低圧ガス管（連絡ガス管（17）または室外ガス管（9））に接続されている。
【０１７７】
インバータ圧縮機（2A）の吸入管（6a）とノンインバータ圧縮機（2B）の吸入管（6b）には、インバータ圧縮機（2A）側からノンインバータ圧縮機（2B）側へ向かって冷媒が流れる第１連通路（23）と、ノンインバータ圧縮機（2B）側からインバータ圧縮機（2A）側へ向かって冷媒を流すことのできる第２連通路（24）とが並列に接続されている。
【０１７８】
第１連通路（23）には、該第１連通路（23）内でインバータ圧縮機（2A）からノンインバータ圧縮機（2B）へ向かう方向にのみ冷媒の流通を許容する逆止弁（7）が設けられている。第２連通路（24）には、該第２連通路（24）内でノンインバータ圧縮機（2B）からインバータ圧縮機（2A９へ向かう方向にのみ冷媒の流通を許容する逆止弁（7）と、第３四路切換弁（3C）とが設けられている。第２連通路（24）は、第１連通路（23）におけるインバータ圧縮機（2A）の吸入管（6a）との接続点と逆止弁（7）との間で該第１連通路（23）に接続されている。
【０１７９】
第３四路切換弁（3C）は、第１ポート（P1）が閉鎖ポートに構成されている。また、第２ポート（P2）は第２連通路（24）を介して第１連通路（23）に接続され、第３ポート（P3）は第２連通路（24）を介してノンインバータ圧縮機（2B）の吸入管（6b）に接続され、第４ポート（P4）には後述する液封防止管（38）の分岐管（38a）が接続されている。そして、上記第３四路切換弁（3C）は、第１ポート（P1）と第２ポート（P2）が連通し、第３ポート（P3）と第４ポート（P4）が連通する第１の状態（図の実線参照）と、第１ポート（P1）と第４ポート（P4）が連通し、第２ポート（P2）と第３ポート（P3）が連通する第２の状態（図の破線参照）とに切り換え可能に構成されている。
【０１８０】
液管（10）、補助液管（25）、及び液分岐管（36）は、実施形態１と同様に構成され、補助液管（25）における室外膨張弁（26）、液分岐管（36）におけるリリーフバルブ（37）、及びこれらの配管（10，25，36）における逆止弁（7）なども実施形態１と同様に配置されている。ただし、補助液管（25）には、レシーバ（14）から後述のリキッドインジェクション管（27）へ向かう方向の冷媒流れのみを許容する逆止弁（7）が設けられている。
【０１８１】
上記補助液管（25）と低圧ガス管（15）との間には、電子膨張弁（29）を有するリキッドインジェクション管（27）が接続されている。また、このリキッドインジェクション管（27）における補助液管（25）との接続点と電子膨張弁（29）の間と、高圧ガス管（8）（直接的には下記の油戻し管（31））とに、液封防止管（38）が接続されている。この液封防止管（38）には、リキッドインジェクション管（27）から高圧ガス管（8）へ向かう冷媒流れのみを許容する逆止弁（7）が設けられている。また、上述したように、この液封防止管（38）の分岐管（38a）は上記第３四路切換弁（3C）の第４ポート（P4）に接続されている。
【０１８２】
上記高圧ガス管（8）には、オイルセパレータ（30）が設けられている。該オイルセパレータ（30）には、油戻し管（31）の一端が接続されている。該油戻し管（31）は、他端側が上記低圧ガス管(15)に接続されている。油戻し管（31）には、電磁弁（SV0）が設けられている。
【０１８３】
上記インバータ圧縮機（2A）のドーム（油溜まり）とノンインバータ圧縮機（2B）の吸入管（6b）との間には、第１均油管（32）が接続されている。上記ノンインバータ圧縮機（2B）のドームとインバータ圧縮機（2A）の吸入管（6a）との間には、第２均油管（33）が接続されている。第１均油管（32）及び第２均油管（33）には、それぞれ、開閉機構として電磁弁（SV1，SV2）が設けられている。
【０１８４】
〈冷凍ユニット〉
上記冷凍ユニット（1D）は、第１利用側熱交換器である冷凍熱交換器（51）と膨張機構である冷凍膨張弁（52）とを備えている。冷凍熱交換器（51）の液側には、連絡液管（11A，11B）の第１分岐管（11a）よりブースタユニット（1F）を介して分岐した分岐液管（13）が、電磁弁（7b）及び冷凍膨張弁（52）を介して接続されている。冷凍熱交換器（51）のガス側は、接続ガス管（54）を介してブースタユニット（1F）に接続されている。
【０１８５】
上記冷凍膨張弁（52）は、感温式膨張弁であって、感温筒が冷凍熱交換器（51）のガス側に取り付けられている。上記冷凍熱交換器（51）は、例えば、クロスフィン式のフィン・アンド・チューブ型熱交換器であって、冷却ファンである冷凍ファン（58）が近接して配置されている。
【０１８６】
また、上記分岐液管（13）には、冷凍膨張弁（52）と電磁弁（7b）とをバイパスするバイパス管（81）が接続されている。このバイパス管（81）には、該バイパス管（81）を開閉するための電磁弁（82）と、冷凍熱交換器（51）から連絡液管（11A，11B）の第１分岐管（11a）へ向かう方向への冷媒流れのみを許容する逆止弁（83）とが設けられている。
【０１８７】
〈ブースタユニット〉
ブースタユニット（1F）は、高圧ドーム型圧縮機であるブースタ圧縮機（53）を備えている。ブースタ圧縮機（53）の吐出管は四路切換弁（91）の第１ポート（P1）に接続されている。四路切換弁（91）の第２ポート（P2）には分岐ガス管（16）の一端が接続され、分岐ガス管（16）の他端は低圧ガス管（15）に接続されている。四路切換弁（91）の第３ポート（P3）にはブースタ圧縮機（53）の吸入管が接続され、四路切換弁（91）の第４ポート（P4）には接続ガス管（54）が接続されている。
【０１８８】
この四路切換弁（91）は、第１ポート（P1）と第２ポート（P2）が連通するとともに第３ポート（P3）と第４ポート（P4）が連通する第１の状態（図１に実線で示す状態）と、第１ポート（P1）と第４ポート（P4）が連通するとともに第２ポート（P2）と第３ポート（P3）が連通する第２の状態（図１に破線で示す状態）とに切り換え可能になっている。
【０１８９】
ブースタ圧縮機（53）の吐出管にはオイルセパレータ（55）と逆止弁（7）とが設けられている。この逆止弁（7）は、ブースタ圧縮機（53）から四路切換弁（91）に向かう冷媒の流れのみを許容するように構成されている。
【０１９０】
上記オイルセパレータ（55）は、ブースタ圧縮機（53）の吐出冷媒から冷凍機油を分離するように構成され、キャピラリチューブ（56）を有する油戻し管（57）が接続されている。この油戻し管（57）は、ブースタ圧縮機（53）の吸入管に接続されている。そして、油戻し管（57）及びオイルセパレータ（55）は、ブースタ圧縮機（53）から吐出された冷凍機油をブースタ圧縮機（53）に戻す油戻し機構を構成している。
【０１９１】
また、上記油戻し管（57）は、リキッドインジェクション管（92）を介して分岐液管（13）に接続されている。このリキッドインジェクション管（92）には、冷媒流量を調整するための電子膨張弁（93）が設けられている。
【０１９２】
上記ブースタ圧縮機（53）の吸入管と分岐ガス管（16）とには、逆止弁（7）を有するバイパス管（94）が接続されている。この逆止弁（7）は、上記吸入管から分岐ガス管（16）へ向かう冷媒の流れのみを許容するように構成されている。上記バイパス管（94）は、ブースタ圧縮機（53）の故障等の停止時に該ブースタ圧縮機（53）をバイパスして冷媒を流すために設けられている。
【０１９３】
上記ブースタ圧縮機（53）には、油吐出管（95）が接続されている。該油吐出管（95）は、一端がブースタ圧縮機（53）のケーシングに接続され、他端が分岐ガス管（16）に接続されている。上記油吐出管（95）は、ブースタ圧縮機（53）に冷凍機油が所定量以上溜まると、該ブースタ圧縮機（53）の冷凍機油を分岐ガス管（16）に放出するように構成されている。つまり、上記油吐出管（95）は、ブースタ圧縮機（53）のケーシングにおける底部の所定高さに接続され、ブースタ圧縮機（53）に溜まり込んだ冷凍機油を高段側圧縮機であるインバータ圧縮機（2A）と第１ノンインバータ圧縮機（2B）とに戻すように構成されている。また、上記油吐出管（95）には、ブースタ圧縮機（53）が駆動している際に所定のタイミングで開く電磁弁（SV5）が設けられている。
【０１９４】
−運転動作−
次に、運転動作について説明する。
【０１９５】
この実施形態２では、以下の７種類の運転モードを設定することができるように構成されている。具体的には、<i>室内ユニット（1B）の冷房のみを行う冷房運転、<ii>室内ユニット（1B）の冷房と冷蔵ユニット（1C）及び冷凍ユニット（1D）の冷却とを同時に行う冷房冷凍運転、<iii>冷蔵ユニット（1C）と冷凍ユニット（1D）の冷却のみを行う冷凍運転、<iv>室内ユニット（1B）の暖房のみを行う暖房運転、<v>室内ユニット（1B）の暖房と冷蔵ユニット（1C）及び冷凍ユニット（1D）の冷却を室外熱交換器（4）を用いずに１００％熱回収で行う第１暖房冷凍運転、<vi>第１暖房冷凍運転時に室内ユニット（1B）の暖房能力が余るときに行う第２暖房冷凍運転、そして、<vii>第１暖房冷凍運転時に室内ユニット（1B）の暖房能力が不足するときに行う第３暖房冷凍運転が可能に構成されている。
【０１９６】
以下、個々の運転モードの動作について具体的に説明する。
【０１９７】
〈冷房運転〉
冷房運転は、室内ユニット（1B）の冷房のみを行う運転である。この冷房運転時は、基本的には図１４に示すように、ノンインバータ圧縮機（2B）のみを駆動して、インバータ圧縮機（2A）及びブースタ圧縮機（53）は停止する。
【０１９８】
また、図２に実線で示すように、第１四路切換弁（3A）、第２四路切換弁（3B）及び第３四路切換弁（3C）はそれぞれ第１の状態に切り換わる。さらに、室外膨張弁（26）、冷蔵ユニット（1C）の電磁弁（7a）及び冷凍ユニット（1D）の電磁弁（7b）は閉鎖している。また、リキッドインジェクション管（27）の電子膨張弁（29）も閉鎖している。
【０１９９】
この状態において、ノンインバータ圧縮機（2B）から吐出した冷媒は、第１四路切換弁（3A）から室外ガス管（9）を経て室外熱交換器（4）に流れて凝縮する。凝縮した液冷媒は、液管（10）を流れ、レシーバ（14）を経て第２連絡液管（11B）を流れ、さらに室内膨張弁（42）を経て室内熱交換器（41）に流れて蒸発する。蒸発したガス冷媒は、連絡ガス管（17）から第１四路切換弁（3A）及び第２四路切換弁（3B）を経て第２接続管（22）から吸入管（6b）を流れ、ノンインバータ圧縮機（2B）に戻る。冷媒が以上の循環を繰り返すことで、店内の冷房が行われる。
【０２００】
この冷房運転時において、ノンインバータ圧縮機（2B）だけでは能力が不足するときは、ノンインバータ圧縮機（2B）とともにインバータ圧縮機（2A）も駆動し、第３四路切換弁（3C）を第２の状態に切り換えて運転することが可能である。また、ノンインバータ圧縮機（2B）が故障したときは、インバータ圧縮機（2A）を駆動するとともに第３四路切換弁（3C）を第２の状態に切り換えて運転することも可能である。
【０２０１】
〈冷房冷凍運転〉
冷房冷凍運転は、室内ユニット（1B）の冷房と冷蔵ユニット（1C）及び冷凍ユニット（1D）の冷却とを同時に行う運転である。冷蔵ユニット（1C）及び冷凍ユニット（1D）の冷却には、冷蔵ユニット（1C）のみの冷却、冷凍ユニット（1D）のみの冷却、及び冷蔵ユニット（1C）と冷凍ユニット（1D）の両方の冷却が含まれるが、ここでは、両ユニット（1C，1D）を冷却する状態について説明する。
【０２０２】
この冷房冷凍運転時は、基本的には図１５に示すように、インバータ圧縮機（2A）とノンインバータ圧縮機（2B）の両方を駆動するとともに、ブースタ圧縮機（53）も駆動する。
【０２０３】
また、第１四路切換弁（3A）、第２四路切換弁（3B）及び第３四路切換弁（3C）は、図３に実線で示すように、それぞれ第１の状態に切り換わる。さらに、冷蔵ユニット（1C）の電磁弁（7a）及び冷凍ユニット（1D）の電磁弁（7b）が開口する一方、室外膨張弁（26）は閉鎖している。また、室内膨張弁（42）は所定開度に制御される。さらに、リキッドインジェクション管（27）の電子膨張弁（29）は、インバータ圧縮機（2A）への吸入冷媒の過熱度を制御するために開度調節される。
【０２０４】
この状態において、インバータ圧縮機（2A）とノンインバータ圧縮機（2B）とから吐出した冷媒は、高圧ガス管（8）で合流し、第１四路切換弁（3A）から室外ガス管（9）を経て室外熱交換器（4）に流れて凝縮する。凝縮した液冷媒は、液管（10）を流れ、レシーバ（14）を経て第１連絡液管（11A）と第２連絡液管（11B）とに分かれて流れる。
【０２０５】
上記第２連絡液管（11B）を流れる液冷媒は、室内膨張弁（42）を経て室内熱交換器（41）に流れて蒸発する。蒸発したガス冷媒は、連絡ガス管（17）から第１四路切換弁（3A）及び第２四路切換弁（3B）を経て第２接続管（22）を流れ、吸入管（6b）からノンインバータ圧縮機（2B）に戻る。
【０２０６】
一方、上記第１連絡液管（11A）を流れる液冷媒の一部は冷蔵膨張弁（46）を経て冷蔵熱交換器（45）に流れて蒸発する。また、上記第１連絡液管（11A）を流れる他の液冷媒は、分岐液管（13）を流れ、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【０２０７】
上記冷蔵熱交換器（45）で蒸発したガス冷媒とブースタ圧縮機（53）から吐出されたガス冷媒とは、低圧ガス管（15）で合流し、インバータ圧縮機（2A）に戻る。
【０２０８】
この冷房冷凍運転の運転モードでは、冷媒が以上のように循環を繰り返すことにより、店内が冷房されると同時に、冷蔵用ショーケースと冷凍用ショーケースの庫内が冷却される。
【０２０９】
なお、この冷房冷凍運転時において、圧縮機は１台だけで運転することもできる。例えばインバータ圧縮機（2A）だけで運転する場合、第３四路切換弁（3C）が第２の状態に切り換わる。このようにすると、冷媒回路（1E）を循環した冷媒は、冷蔵ユニット（1C）側及び冷凍ユニット（1D）側からは低圧ガス管（15）及び吸入管（6a）を介してインバータ圧縮機（2A）に戻り、室内ユニット（1B）側からは第２接続管（22）、第２連通路（24）及び吸入管（6a）を介してインバータ圧縮機（2A）に戻る。
【０２１０】
また、インバータ圧縮機（2A）が故障により停止した場合には、第３四路切換弁（3C）が第１の状態に切り換わり、ノンインバータ圧縮機（2B）のみで運転を行う。この場合、冷媒回路（1E）を循環した冷媒は、冷蔵ユニット（1C）側及び冷凍ユニット（1D）側からは第１連通路（23）と吸入管（6b）を介してノンインバータ圧縮機（2B）に戻り、室内ユニット（1B）側からは第２接続管（22）と吸入管（6b）を介してノンインバータ圧縮機（2B）に戻る状態となる。
【０２１１】
〈冷凍運転〉
冷凍運転は、室内ユニット（1B）を停止して冷蔵ユニット（1C）と冷凍ユニット（1D）の冷却を行う運転であり、冷蔵ユニット（1C）のみを冷却する運転、冷凍ユニット（1D）のみを冷却する運転、あるいは冷蔵ユニット（1C）と冷凍ユニット（1D）を冷却する運転が含まれるが、ここでは両ユニット（1C，1D）を冷却する状態について説明する。
【０２１２】
この冷凍運転時は、基本的には図１６に示すように、インバータ圧縮機（2A）を駆動するが、ノンインバータ圧縮機は停止する。ブースタ圧縮機（53）は、冷凍ユニット（1D）を冷却するときには起動する。
【０２１３】
また、第１四路切換弁（3A）、第２四路切換弁（3B）及び第３四路切換弁（3C）は第１の状態に設定される。さらに、冷蔵ユニット（1C）の電磁弁（7a）及び冷凍ユニット（1D）の電磁弁（7b）が開口される一方、室外膨張弁（26）及び室内膨張弁（42）は閉鎖している。また、リキッドインジェクション管（27）の電子膨張弁（29）は、開度が調整されて冷媒の吸入過熱度を制御している。なお、冷蔵ユニット（1C）の冷却を停止する冷蔵のサーモオフ時は電磁弁（7a）が閉鎖され、冷凍ユニット（1D）の冷却を停止する冷凍のサーモオフ時は電磁弁（7b）が閉鎖されると共にブースタ圧縮機（53）が停止する。
【０２１４】
この状態において、インバータ圧縮機（2A）から吐出された冷媒は、第１四路切換弁（3A）から室外ガス管（9）を経て室外熱交換器（4）に流れて凝縮する。凝縮した液冷媒は、液管（10）を流れ、レシーバ（14）を経て第１連絡液管（11A）を流れ、一部が冷蔵膨張弁（46）を経て冷蔵熱交換器（45）に流れて蒸発する。
【０２１５】
一方、第１連絡液管（11A）を流れる他の液冷媒は、分岐液管（13）を流れ、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【０２１６】
上記冷蔵熱交換器（45）で蒸発したガス冷媒とブースタ圧縮機（53）から吐出したガス冷媒とは、低圧ガス管（15）で合流し、インバータ圧縮機（2A）に戻る。冷媒が以上の循環を繰り返すことで、冷蔵用ショーケースと冷凍用ショーケースの庫内が冷却される。
【０２１７】
なお、上記冷蔵膨張弁（46）及び冷凍膨張弁（52）の開度は、感温筒による過熱度制御が行われる。この点は、以下の各運転パターンでも同じである。
【０２１８】
このように、インバータ圧縮機（2A）から吐出された冷媒は、室外熱交換器（4）を凝縮器とし、冷蔵熱交換器（45）と冷凍熱交換器（51）を蒸発器として冷媒回路（1E）を循環する。そして、冷媒の循環により、冷蔵用ショーケースと冷凍用ショーケースの庫内を冷却できる。
【０２１９】
なお、高負荷時には、弁の設定は図１６と同じ状態で、インバータ圧縮機（2A）とノンインバータ圧縮機（2B）の両方を駆動する。こうすることにより、インバータ圧縮機（2A）及びノンインバータ圧縮機（2B）から吐出した冷媒は、室外熱交換器（4）を凝縮器とし、冷蔵熱交換器（45）と冷凍熱交換器（51）を蒸発器として冷媒回路（1E）を循環した後、インバータ圧縮機（2A）とノンインバータ圧縮機（2B）の両方に戻る。
【０２２０】
また、インバータ圧縮機（2A）が故障により停止したときは、ノンインバータ圧縮機（2B）のみを起動する。こうすることにより、ノンインバータ圧縮機（2B）から吐出した冷媒は、室外熱交換器（4）を凝縮器とし、冷蔵熱交換器（45）と冷凍熱交換器（51）を蒸発器として冷媒回路（1E）を循環した後、低圧ガス管（15）から第１連通路（23）を通ってノンインバータ圧縮機（2B）に戻る。
【０２２１】
〈暖房運転〉
暖房運転は、室内ユニット（1B）の暖房のみを行う運転である。この暖房運転時は、図１７に示すように、基本的にはノンインバータ圧縮機（2B）のみを駆動する。
【０２２２】
また、図１７に実線で示すように、第１四路切換弁（3A）は第２の状態に切り換わり、第２四路切換弁（3B）は第１の状態に切り換わり、第３四路切換弁（3C）は第１の状態に切り換わる。一方、冷蔵ユニット（1C）の電磁弁（7a）及び冷凍ユニット（1D）の電磁弁（7b）とリキッドインジェクション管（27）の電子膨張弁（29）とは閉鎖している。また、上記室外膨張弁（26）及び室内膨張弁（42）は、室内の設定温度や各センサの検出値に基づいて所定開度に制御される。
【０２２３】
この状態において、ノンインバータ圧縮機（2B）から吐出された冷媒は、第１四路切換弁（3A）から連絡ガス管（17）を経て室内熱交換器（41）に流れて凝縮する。凝縮した液冷媒は、第２連絡液管（11B）を流れ、基管（11）から液分岐管（36）を通ってレシーバ（14）に流入する。その後、上記液冷媒は、補助液管（25）の室外膨張弁（26）を経て室外熱交換器（4）に流れて蒸発する。蒸発したガス冷媒は、室外ガス管（9）から第１四路切換弁（3A）及び第２四路切換弁（3B）を通り、さらに第２接続管（22）及び吸入管（6b）からノンインバータ圧縮機（2B）に戻る。冷媒がこの循環を繰り返し、店内が暖房される。
【０２２４】
なお、ノンインバータ圧縮機（2B）が壊れて停止した場合、インバータ圧縮機（2A）を使って運転することもできる。このときは、第３四路切換弁（3C）が第２の状態に切り換わる。このようにすると、インバータ圧縮機（2A）から吐出した冷媒は、室内熱交換器（41）を凝縮器とし、室外熱交換器（4）を蒸発器として冷媒回路（1E）を循環する際に、第２接続管（22）、第２連通路（24）及び吸入管（6a）を通ってインバータ圧縮機（2A）へ戻る。
【０２２５】
また、第３四路切換弁（3C）が第２の状態に切り換わった状態にすると、インバータ圧縮機（2A）とノンインバータ圧縮機（2B）の両方を使って運転することも可能である。このとき、インバータ圧縮機（2A）とノンインバータ圧縮機（2B）から吐出した冷媒は、室内熱交換器（41）を凝縮器とし、室外熱交換器（4）を蒸発器として冷媒回路（1E）を循環する際に、一部がインバータ圧縮機（2A）に、残りがノンインバータ圧縮機（2B）に戻る。
【０２２６】
〈第１暖房冷凍運転〉
この第１暖房冷凍運転は、室外熱交換器（4）を用いずに、室内ユニット（1B）の暖房と冷蔵ユニット（1C）及び冷凍ユニット（1D）の冷却を行う１００％熱回収運転である。この第１暖房冷凍運転は、基本的には負荷に応じてインバータ圧縮機（2A）とノンインバータ圧縮機（2B）の両方を駆動するかインバータ圧縮機（2A）のみを駆動することにより行われるが、インバータ圧縮機（2A）の故障時にはノンインバータ圧縮機（2B）のみを使った運転も可能である。
【０２２７】
図１８に示すように、インバータ圧縮機（2A）とノンインバータ圧縮機（2B）の両方を駆動して行う運転時には、第１四路切換弁（3A）は第２の状態に切り換わり、第２四路切換弁（3B）と第３四路切換弁（3C）は第１の状態に切り換わる。また、冷蔵ユニット（1C）の電磁弁（7a）及び冷凍ユニット（1D）の電磁弁（7b）は開口し、室外膨張弁（26）は閉鎖される一方、室内膨張弁（42）とリキッドインジェクション管（27）の電子膨張弁（29）は所定開度に制御されている。
【０２２８】
この状態において、インバータ圧縮機（2A）とノンインバータ圧縮機（2B）から吐出した冷媒は、第１四路切換弁（3A）から連絡ガス管（17）を経て室内熱交換器（41）に流れて凝縮する。凝縮した液冷媒は、第２分岐管（11b）から第１分岐管（11a）へ流れ、一部が分岐液管（13）へ流れる。
【０２２９】
第１分岐管（11a）を流れる液冷媒は、冷蔵膨張弁（46）を経て冷蔵熱交換器（45）に流れて蒸発する。また、上記分岐液管（13）を流れる液冷媒は、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【０２３０】
上記冷蔵熱交換器（45）で蒸発したガス冷媒とブースタ圧縮機（53）から吐出されたガス冷媒とは、低圧ガス管（15）で合流し、一部が吸入管（6a）からインバータ圧縮機（2A）に、残りが第１連通路（23）から吸入管（6b）を通ってノンインバータ圧縮機（2B）に戻る。冷媒がこの循環を繰り返し、店内の暖房と、冷蔵用ショーケースと冷凍用ショーケースの庫内の冷却とが行われる。
【０２３１】
このように、第１暖房冷凍運転では、冷蔵ユニット（1C）と冷凍ユニット（1D）との冷却能力（蒸発熱量）と、室内ユニット（1B）の暖房能力（凝縮熱量）とがバランスし、１００％の熱回収が行われる。
【０２３２】
インバータ圧縮機（2A）のみを使って行う運転時は、弁の設定は同じままでノンインバータ圧縮機（2B）を停止する。こうすることにより、インバータ圧縮機（2A）から吐出した冷媒は、室内熱交換器（41）を凝縮器とし、冷蔵熱交換器（45）及び冷凍熱交換器（51）を蒸発器として冷媒回路（1E）を循環し、インバータ圧縮機（2A）に戻る。
【０２３３】
また、インバータ圧縮機（2A）が故障したときは、弁の設定は同じままでノンインバータ圧縮機（2B）のみを起動する。こうすることにより、ノンインバータ圧縮機（2B）から吐出した冷媒は、室内熱交換器（41）を凝縮器とし、冷蔵熱交換器（45）及び冷凍熱交換器（51）を蒸発器として冷媒回路（1E）を循環し、ノンインバータ圧縮機（2B）に戻る。
【０２３４】
この実施形態２では、実施形態１と同様に液分岐管（36）に逆流防止機構（液シール機構）としてリリーフバルブ（37）を設けているため、１００％熱回収運転である第１暖房冷凍運転時の冷媒流れが安定する。つまり、外気温度が低下してレシーバ（14）内の圧力が下がったときでも、室内熱交換器（41）を出た液冷媒が液分岐管（36）をレシーバ（14）へ向かって流れないので、第１分岐管（11a）における冷蔵膨張弁（46）の手前側と分岐液管（13）における冷凍膨張弁（52）の手前側を満液状態に維持して、冷蔵熱交換器（45）及び冷凍熱交換器（51）における冷媒流量を確保できる。したがって、冷蔵熱交換器（45）及び冷凍熱交換器（51）において冷却能力が低下するのを確実に防止できる。
【０２３５】
〈第２暖房冷凍運転〉
第２暖房冷凍運転は、上記第１暖房冷凍運転時に室内ユニット（1B）の暖房能力が余る暖房の能力過剰運転である。この第２暖房冷凍運転は、上記第１暖房冷凍運転において、第２四路切換弁（3B）が図１９に実線で示すように第２の状態に切り換わっている他は、第１暖房冷凍運転と同じ設定で運転を行う。
【０２３６】
この第２暖房冷凍運転には、基本的には図１９に示すように、インバータ圧縮機（2A）のみを駆動する運転が行われ、高負荷時にインバータ圧縮機（2A）とノンインバータ圧縮機（2B）を駆動し、インバータ圧縮機（2A）の故障時にノンインバータ圧縮機（2B）のみで運転が行われる。
【０２３７】
図１９において、インバータ圧縮機（2A）から吐出した冷媒の一部は、上記第１暖房冷凍運転と同様に室内熱交換器（41）に流れて凝縮する。凝縮した液冷媒は、第２分岐管（11b）から第１分岐管（11a）へ流れる。
【０２３８】
一方、上記インバータ圧縮機（2A）から吐出した他の冷媒は、補助ガス管（19）から第２四路切換弁（3B）及び第１四路切換弁（3A）を経て室外ガス管（9）を流れ、室外熱交換器（4）で凝縮する。凝縮した液冷媒は、液管（10）を流れる際にレシーバ（14）を通り、さらに基管（11）から第１分岐管（11a）へ流れる。
【０２３９】
その後、上記第１分岐管（11a）を流れる液冷媒の一部が冷蔵熱交換器（45）に流れて蒸発する。また、第１分岐管（11a）を流れる他の冷媒は、上記分岐液管（13）を流れ、冷凍熱交換器（51）で蒸発してブースタ圧縮機（53）に吸入される。上記冷蔵熱交換器（45）で蒸発したガス冷媒とブースタ圧縮機（53）から吐出したガス冷媒とは、低圧ガス管（15）で合流し、インバータ圧縮機（2A）に戻る。この循環を繰り返し、店内を暖房すると同時に、冷蔵用ショーケースと冷凍用ショーケースの庫内を冷却する。
【０２４０】
このように、第２暖房冷凍運転では、冷蔵ユニット（1C）と冷凍ユニット（1D）との冷却能力（蒸発熱量）と、室内ユニット（1B）の暖房能力（凝縮熱量）とがバランスせず、余る凝縮熱を室外熱交換器（4）で室外に放出する。
【０２４１】
高負荷時には、弁の設定は同じままで、インバータ圧縮機（2A）とノンインバータ圧縮機（2B）の両方を駆動する。こうすることにより、インバータ圧縮機（2A）とノンインバータ圧縮機（2B）から吐出した冷媒は、室内熱交換器（41）と室外熱交換器（4）とを凝縮器とし、冷蔵熱交換器（45）及び冷凍熱交換器（51）を蒸発器として冷媒回路（1E）を循環した後、一部がインバータ圧縮機（2A）に戻り、他の一部が第１連通路（23）を通ってノンインバータ圧縮機（2B）に戻る。
【０２４２】
また、インバータ圧縮機（2A）が故障したときは、弁の設定は同じままでノンインバータ圧縮機（2B）のみを駆動して運転を行う。こうすることにより、ノンインバータ圧縮機（2B）から吐出した冷媒は、室内熱交換器（41）と室外熱交換器（4）とを凝縮器とし、冷蔵熱交換器（45）及び冷凍熱交換器（51）を蒸発器として冷媒回路（1E）を循環した後、第１連通路（23）を通ってノンインバータ圧縮機（2B）に戻る。
【０２４３】
〈第３暖房冷凍運転〉
この第３暖房冷凍運転は、上記第１暖房冷凍運転時に室内ユニット（1B）の暖房能力が不足する暖房の能力不足運転である。この第３暖房冷凍運転では、図２０に示すように、上記インバータ圧縮機（2A）及びノンインバータ圧縮機（2B）を駆動するとともに、ブースタ圧縮機（53）も駆動する。
【０２４４】
この第３暖房冷凍運転は、上記第１暖房冷凍運転の第１パターンで暖房能力が不足する場合の運転で、言い換えると、蒸発熱量が不足している場合に行われる運転である。この第３暖房冷凍運転は、室外膨張弁（26）の開度が制御されている点の他は、弁の設定は上記第１暖房冷凍運転の第１パターンと同じである。
【０２４５】
したがって、インバータ圧縮機（2A）とノンインバータ圧縮機（2B）から吐出した冷媒は、上記第１暖房冷凍運転と同様に連絡ガス管（17）を経て室内熱交換器（41）に流れて凝縮する。凝縮した液冷媒は、第２分岐管（11b）から一部が第１分岐管（11a）へ流れ、他の一部が基管（11）から液分岐管（36）へ流れてレシーバ（14）に流入する。
【０２４６】
第１分岐管（11a）を流れる冷媒の一部は冷蔵熱交換器（45）に流れて蒸発する。また、第１分岐管（11a）を流れる他の冷媒は分岐液管（13）を流れ、冷凍熱交換器（51）で蒸発してブースタ圧縮機（53）に吸入される。上記冷蔵熱交換器（45）で蒸発したガス冷媒とブースタ圧縮機（53）から吐出したガス冷媒とは、低圧ガス管（15）で合流し、インバータ圧縮機（2A）に戻る。
【０２４７】
一方、上記レシーバ（14）から流出した液冷媒は、液管（10）を通り、室外膨張弁（26）を経て室外熱交換器（4）に流れ、蒸発する。蒸発したガス冷媒は、室外ガス管（9）を流れ、第１四路切換弁（3A）及び第２四路切換弁（3B）を通り、さらに第２接続管（22）及び吸入管（6b）からノンインバータ圧縮機（2B）に戻る。
【０２４８】
この循環を繰り返し、店内を暖房すると同時に、冷蔵用ショーケースと冷凍用ショーケースの庫内を冷却する。つまり、冷蔵ユニット（1C）と冷凍ユニット（1D）との冷却能力（蒸発熱量）と、室内ユニット（1B）の暖房能力（凝縮熱量）とがバランスせず、不足する蒸発熱を室外熱交換器（4）から得ながら、暖房と冷蔵・冷凍を同時に行う。
【０２４９】
〈ブースタユニットの運転動作〉
上記ブースタ圧縮機（53）から吐出される冷媒には、冷凍機油が含まれている。この冷凍機油は、オイルセパレータ（55）で冷媒と分離され、油戻し管（57）を通ってブースタ圧縮機（53）に戻る。
【０２５０】
一方、上記ブースタ圧縮機（53）において、ケーシング内に所定量の冷凍機油が溜まり込むと、ケーシングの所定高さに油吐出管（95）が開口しているので、所定量以上の冷凍機油は、油吐出管（95）から分岐ガス管（16）に放出される。その後、上記冷凍機油は、低圧ガス管（15）を流れ、室外ユニット（1A）のインバータ圧縮機（2A）又は第１ノンインバータ圧縮機（2B）に戻ることになる。
【０２５１】
つまり、上記ブースタ圧縮機（53）の運転周波数が高く、運転容量が高い場合、該ブースタ圧縮機（53）から冷媒と共に吐出される冷凍機油が多くなるので、ブースタ圧縮機（53）の冷凍機油が不足しないようにオイルセパレータ（55）から該ブースタ圧縮機（53）に冷凍機油を戻し、ブースタ圧縮機（53）の冷凍機油を確保する。
【０２５２】
一方、上記ブースタ圧縮機（53）の運転周波数が低く、運転容量が低い場合、該ブースタ圧縮機（53）から冷媒と共に吐出される冷凍機油が少なくなるので、ブースタ圧縮機（53）に冷凍機油が溜まり込むことになる。その際、上述したように、所定量以上の冷凍機油は、油吐出管（95）から分岐ガス管（16）に流れ、室外ユニット（1A）のインバータ圧縮機（2A）又は第１ノンインバータ圧縮機（2B）に戻る。尚、上記室外ユニット（1A）においては、第１均油管（32）及び第２均油管（33）によって各圧縮機（2A，2B）の間で冷凍機油が分配される。
【０２５３】
また、このブースタユニット（1F）では、ブースタ圧縮機（53）への吸入冷媒の過熱度が大きくなった場合に、リキッドインジェクション管（92）の電子膨張弁（93）を開き、液冷媒を減圧してブースタ圧縮機（53）の吸入側に供給する。このことにより、ブースタ圧縮機（53）における冷媒の過熱度が大きくなり過ぎるのが防止される。
【０２５４】
また、このブースタユニット（1F）においては、冷凍熱交換器（51）が着霜したときには四路切換弁（91）を切り換えることによりブースタ圧縮機（53）の吐出冷媒を冷凍熱交換器（51）に供給し、いわゆる逆サイクルのデフロスト運転を行うことができる。例えば、図１６の冷凍運転時に冷凍熱交換器（51）を除霜するときには、ブースタ圧縮機（53）から吐出された冷媒が、四路切換弁（91）を通って冷凍熱交換器（51）へ流れた後、バイパス管（81）及び分岐液管（13）を通ってから第１分岐管（11a）を流れ、冷蔵熱交換器（45）で蒸発する。この冷媒は一部がインバータ圧縮機（2A）及びノンインバータ圧縮機（2B）に戻るとともに、残りの一部が分岐ガス管（16）から四路切換弁（91）を通ってブースタ圧縮機（53）に吸入される。冷媒がこのようにして循環することで、冷凍熱交換器（51）に着霜した場合の除霜を素早く行うことが可能となる。
【０２５５】
−実施形態２の効果−
この実施形態２においても、液分岐管（36）にリリーフバルブ（37）を設けているので、１００％熱回収運転である第１暖房冷凍運転時に外気温が下がってレシーバ（14）内の圧力が低下しても、室内熱交換器（41）を出た液冷媒がレシーバ（14）に流入するのを防止できる。つまり、リリーフバルブ（37）によって連絡液管（11A，11B）の基管（11）の圧力が低下するのを阻止することにより、室内熱交換器（41）を出た液冷媒を冷蔵熱交換器（45）及び冷凍熱交換器（51）に確実に導入することが可能となり、これらの冷蔵熱交換器（45）及び冷凍熱交換器（51）における冷媒流量不足による能力低下を確実に防止できる。
【０２５６】
また、この実施形態２では、７種類の運転モードのそれぞれで、両圧縮機（2A，2B）を組み合わせて使うだけでなく、どちらの圧縮機（2A，2B）を使うことも可能にしている。したがって、２台の圧縮機（2A，2B）の１台が壊れても運転を継続することが可能になる。特に、インバータ圧縮機（2A）がノンインバータ圧縮機（2B）よりも故障しやすいのに対して、インバータ圧縮機（2A）の故障対策として効果的である。
【０２５７】
また、この実施形態２では、２台の圧縮機（2A，2B）からなる圧縮機構において、圧縮機（2A，2B）のどちらか１台が壊れたときにもう１台で運転を継続できる構成を実現しているので、３台の圧縮機を用いる実施形態１に比べて構成や制御を簡素化できる。
【０２５８】
《発明の実施形態３》
次に、本発明の実施形態３について説明する。図２１に示すように、この実施形態３は、実施形態１の冷媒回路において逆流防止機構（液シール機構）を変更したものである。
【０２５９】
具体的には、この実施形態３において、レシーバ（14）の上部とインバータ圧縮機（2A）の吐出管（5a）との間には実施形態１のガス抜き管（28）は接続されておらず、その代わりに、リキッドインジェクション管（27）における補助液管（25）との接続点と電子膨張弁（29）の間と、高圧ガス管（8）とに、液封防止管（38）が接続されている。この液封防止管（38）には、リキッドインジェクション管（27）から高圧ガス管（8）へ向かう冷媒流れのみを許容する逆止弁（7）が設けられている。この液封防止管（38）は、分岐管（38a）を介して第３四路切換弁（3C）の第４ポート（P4）に接続されている。
【０２６０】
上記液封防止管（38）における分岐管（38a）との接続点と逆止弁（7）の間と、液分岐管（36）（第２流入管（10c））における第１流入管（10a）との接続点と逆止弁（7）との間には、１００％熱回収運転（第１暖房冷凍運転）時に室内熱交換器（41）を出た冷媒がレシーバの方向へ流れるのを阻止するための逆流防止機構（液シール機構）として逆流防止管（39）が接続されている。この逆流防止管（39）には、電磁弁（SV7）と、液封防止管（38）から液分岐管（36）に向かう方向の冷媒流れのみを許容する逆止弁（7）とが設けられている。電磁弁（SV7）は逆流防止管（39）を開閉するように構成され、開いたときに、冷媒回路の高圧冷媒圧力（吐出冷媒圧力）を第２流入管（10c）に導入して該第２流入管（10c）の逆止弁を閉じるように構成されている。
【０２６１】
この構成において、図２２に示す１００％熱回収運転時に電磁弁（SV7）を開放すると、圧縮機構（2D，2E）から吐出された高圧冷媒が液封防止管（38）から逆流防止管（39）を通って液分岐管（36）（第２流入管（10c））に導入され、該液分岐管（36）の逆止弁（7）を閉じるように作用する。したがって、外気温が下がってレシーバ（14）内が低圧になったとしても基管（11）の圧力は低下しない。このため、室内熱交換器（41）から出た冷媒を確実に冷蔵熱交換器（45）及び冷凍熱交換器（51）に供給することができるので、上記各実施形態と同様にこれらの熱交換器（45，51）における能力低下を防止できる。
【０２６２】
なお、１００％熱回収運転以外の時には、逆流防止管（39）の電磁弁（SV7）を閉じておくことにより、実施形態１と同様の冷媒流れで運転を実行できるので、ここでは各運転の詳細については説明を省略する。
【０２６３】
《発明の実施形態４》
次に、本発明の実施形態４について説明する。図２３に示すように、この実施形態４は、実施形態１とは液シール機構の構成が異なるものである。
【０２６４】
具体的には、この実施形態４において、液シール機構（40，SV8）は、冷媒回路の高圧圧力をレシーバ（14）に導入する高圧導入管（40）と、該高圧導入管（40）を開閉する電磁弁（開閉弁）（SV8）とから構成され、図１のリリーフバルブ（37）は設けられていない。高圧導入管（40）は、油戻し管（31）から分岐してレシーバ（14）に接続され、圧縮機構（2D，2E）の吐出管（8）から高圧冷媒をレシーバ（14）に導入可能に構成されている。
【０２６５】
上記レシーバ（14）が、液管（10）に対し、熱源側熱交換器（4）からの冷媒の流入を許容する第１流入管（10a）と、液側連絡配管（11A，11B）への冷媒の流出を許容する第１流出管（10b）と、液側連絡配管（11A，11B）からの冷媒の流入を許容する第２流入管（10c）と、熱源側熱交換器（4）への冷媒の流出を許容する第２流出管（10d）とを介して接続されている点と、第２流入管（10c）に液側連絡配管（11A，11B）からレシーバ（14）へ向かう冷媒流れのみを許容する逆止弁（7）が設けられている点を初め、他の構成は上記実施形態１と同様である。
【０２６６】
この構成において、１００％熱回収運転時に電磁弁（SV8）を開放すると、圧縮機構（2D，2E）から吐出された高圧冷媒が高圧導入管（40）からレシーバ（14）内に導入され、レシーバ（14）内が高圧になって、この高圧冷媒の作用により液分岐管（36）の逆止弁（7）が確実に閉じられる。したがって、外気温が下がったとしても基管（11）の圧力は低下しない。このため、室内熱交換器（41）から出た冷媒を確実に冷蔵熱交換器（45）及び冷凍熱交換器（51）に供給することができるので、上記各実施形態と同様にこれらの熱交換器（45，51）における能力低下を防止できる。
【０２６７】
なお、１００％熱回収運転以外の時には、高圧導入管（40）の電磁弁（SV8）を閉じておくことにより、実施形態１と同様の冷媒流れで運転を実行できるので、ここでは各運転の詳細については説明を省略する。
【０２６８】
《発明の実施形態５》
次に、本発明の実施形態５について説明する。図２４に示すように、この実施形態５は、上記実施形態１とは液シール機構の構成が異なるものである。
【０２６９】
具体的には、この実施形態５において、液シール機構（90）は、レシーバ（14）を加熱する加熱部材（90）により構成され、図１のリリーフバルブ（37）は設けられていない。加熱部材（90）としては、例えば電気ヒータを用いることができる。
【０２７０】
上記レシーバ（14）が、液管（10）に対し、熱源側熱交換器（4）からの冷媒の流入を許容する第１流入管（10a）と、液側連絡配管（11A，11B）への冷媒の流出を許容する第１流出管（10b）と、液側連絡配管（11A，11B）からの冷媒の流入を許容する第２流入管（10c）と、熱源側熱交換器（4）への冷媒の流出を許容する第２流出管（10d）と、を介して接続されている点と、第２流入管（10c）に液側連絡配管（11A，11B）からレシーバ（14）へ向かう冷媒流れのみを許容する逆止弁（7）が設けられている点を初め、他の構成は上記実施形態１と同様である。
【０２７１】
この構成において、１００％熱回収運転時に加熱部材（90）によってレシーバ（14）を加熱すると、レシーバ（14）内が高圧になって、この高圧圧力の作用により液分岐管（36）の逆止弁（7）が確実に閉じられる。したがって、外気温が下がったとしても基管（11）の圧力は低下しない。このため、室内熱交換器（41）から出た冷媒を確実に冷蔵熱交換器（45）及び冷凍熱交換器（51）に供給することができるので、上記各実施形態と同様にこれらの熱交換器（45，51）における能力低下を防止できる。
【０２７２】
《発明の実施形態６》
次に、本発明の実施形態６について説明する。図２５，図２６に示すように、この実施形態６は、上記実施形態１とは液シール機構の構成が異なるものである。
【０２７３】
この実施形態６においては、液シール機構（21）を配管形状によって実現しており、図１のリリーフバルブ（14）は設けられていない。この実施形態６では、基管（11）に対して、第１分岐管（11a）、第２分岐管（11b）及び分岐液管（13）の３本の配管が１箇所（接合部（P））で接合され、液シール機構（21）が、上記接合部（P）において該第１分岐管（11a）、第２分岐管（11b）及び分岐液管（13）からから上方へのびるように基管（11）に設けられた立ち上げ部（21）により構成されている。
【０２７４】
その他の構成は実施形態１と同様である。
【０２７５】
この構成において、１００％熱回収運転時には、冷媒は、室内熱交換器（41）から第２分岐管（11b）を流れた後、立ち上げ部（21）によって上記基管（11）及び液管（10）の方へ流れることが阻止されて、確実に第１分岐管（11a）及び分岐液管（13）から冷蔵熱交換器（45）及び冷凍熱交換器（51）の方へ流れて行く。このため、、上記各実施形態と同様にこれらの熱交換器（45，51）における能力低下を防止できる。
【０２７６】
なお、この実施形態６では、第１分岐管（11a）、第２分岐管（11b）及び分岐液管（13）の３本を基管（11）に接合し、その接合部（P）に立ち上げ部（21）を形成しているが、実施形態１と同様に第１分岐管（11a）及び第２分岐管（11b）の２本を基管（11）に接合する配管構造において、その接合部（P）から立ち上がる立ち上げ部（21）を基管（11）に形成するとともに、接合部（P）よりも冷蔵熱交換器（45）側で第１分岐管（11a）から分岐液管（13）が分岐するようにしてもよい。このように構成しても、上記と同様に各熱交換器（45，51）における能力低下を防止できる。
【０２７７】
《その他の実施形態》
本発明は、上記実施形態について、以下のような構成としてもよい。
【０２７８】
例えば、上記実施形態１，２では、逆流防止機構（液シール機構）であるリリーフバルブ（37）を液分岐管（36）（第２流入管（10c））に設けているが、このリリーフバルブ（37）は、例えば基管（11）に設けてもよい。この場合、基管（11）には例えばリリーフバルブ（37）と並列に接続したバイパス通路を設け、このバイパス通路に、室外ユニット（1A）から各利用側ユニット（1B，1C，1D）へ向かう方向への冷媒流れのみを許容する逆止弁を設けるとよい。こうすると、１００％熱回収時には室内ユニット（1B）から室外ユニット（1A）へ向かう冷媒の流れを阻止できるとともに、１００％熱回収以外の運転時にも冷媒回路（1E）内の冷媒の流れが妨げられることはないので、上記実施形態と同様の運転が可能となる。ただし、この場合にはバイパス通路が必要になるので、構成を簡単にするにはリリーフバルブ（37）を上記実施形態のように液分岐管（36）（第２流入管（10c））に設けることが好ましい。
【０２７９】
また、上記実施形態では、圧縮機構（2D，2E）をはじめとする熱源側の具体的な構成や、利用側の具体的な構成を適宜変更してもよい。要するに本発明は、複数系統の液ラインを一つにまとめ、室外熱交換器（4）を使わずに１００％熱回収運転を行う場合に、凝縮器となる熱交換器から蒸発器となる熱交換器へ冷媒を確実に流すための逆流防止機構（液シール機構）を用いたものであれば、細部の構成は変更してもよい。
【０２８０】
また、例えば、液側連絡配管（11A，11B）の基管（11）と低圧ガス側連絡配管（15）を並設してガス冷媒と液冷媒とが熱交換可能な構成にすることも、必ずしも必要ではない。
【産業上の利用可能性】
【０２８１】
以上説明したように、本発明は、複数系統の利用側熱交換器を有し、各利用側熱交換器間で１００％熱回収運転を行うことのできる冷凍装置について有用である。
【図面の簡単な説明】
【０２８２】
【図１】本発明の実施形態１に係る冷凍装置の冷媒回路図である。
【図２】実施形態１における冷房運転の動作を示す冷媒回路図である。
【図３】実施形態１における冷凍運転の動作を示す冷媒回路図である。
【図４】実施形態１における第１冷房冷凍運転の動作を示す冷媒回路図である。
【図５】実施形態１における第１冷房冷凍運転時の冷媒挙動を示すモリエル線図である。
【図６】実施形態１における第２冷房冷凍運転の動作を示す冷媒回路図である。
【図７】実施形態１における暖房運転の動作を示す冷媒回路図である。
【図８】実施形態１における第１暖房冷凍運転の動作を示す冷媒回路図である。
【図９】実施形態１における第２暖房冷凍運転の動作を示す冷媒回路図である。
【図１０】実施形態１における第２暖房冷凍運転時の冷媒挙動を示すモリエル線図である。
【図１１】実施形態１における第３暖房冷凍運転の動作を示す冷媒回路図である。
【図１２】実施形態１における第３暖房冷凍運転時の冷媒挙動を示すモリエル線図である。
【図１３】本発明の実施形態２に係る冷凍装置の冷媒回路図である。
【図１４】実施形態２における冷房運転の動作を示す冷媒回路図である。
【図１５】実施形態２における冷房冷凍運転の動作を示す冷媒回路図である。
【図１６】実施形態２における冷凍運転の動作を示す冷媒回路図である。
【図１７】実施形態２における暖房運転の動作を示す冷媒回路図である。
【図１８】実施形態２における第１暖房冷凍運転の動作を示す冷媒回路図である。
【図１９】実施形態２における第２暖房冷凍運転の動作を示す冷媒回路図である。
【図２０】実施形態２における第３暖房冷凍運転の動作を示す冷媒回路図である。
【図２１】本発明の実施形態３に係る冷凍装置の冷媒回路図である。
【図２２】実施形態３における第１暖房冷凍運転の動作を示す冷媒回路図である。
【図２３】本発明の実施形態４に係る冷凍装置の冷媒回路図である。
【図２４】本発明の実施形態５に係る冷凍装置の冷媒回路図である。
【図２５】本発明の実施形態６に係る冷凍装置の冷媒回路図である。
【図２６】実施形態６における液シール機構の外観形状を示す斜視図である。
【図２７】従来の冷凍装置の冷媒回路図である。
【符号の説明】
【０２８３】
（1）   冷凍装置
（1A）  室外ユニット（熱源側ユニット）
（1B）  室内ユニット（第２利用側ユニット）
（1C）  冷蔵ユニット（第１利用側ユニット）
（1D）  冷凍ユニット（第１利用側ユニット）
（1E）  冷媒回路
（2D）  圧縮機構
（2E）  圧縮機構
（4）   室外熱交換器（熱源側熱交換器）
（10）  液管
（10a） 第１流入管
（10b） 第１流出管
（10c） 第２流入管
（10d） 第２流出管
（11）  基管
（11A） 第１液側連絡配管
（11B） 第２液側連絡配管
（11a） 第１分岐管
（11b） 第２分岐管
（14）  レシーバ
（15）  低圧ガス管（低圧ガス側連絡配管）（第１ガス側連絡配管）
（16）  分岐ガス管（第１ガス側連絡配管）
（17）  第２ガス側連絡配管
（21）  立ち上げ部（液シール機構）
（37）  リリーフバルブ（逆流防止機構、液シール機構）
（39）  逆流防止管（逆流防止機構、液シール機構）
（40）  高圧導入管（液シール機構）
（41）  室内熱交換器（第２利用側熱交換器）
（45）  冷蔵熱交換器（第１利用側熱交換器）
（51）  冷凍熱交換器（第１利用側熱交換器）
（90）  加熱部材（液シール機構）
（SV7） 電磁弁（逆流防止機構、液シール機構）
（SV8） 電磁弁（液シール機構）
【図１】
2005134103.tif 000003
【図２】
2005134103.tif 000004
【図３】
2005134103.tif 000005
【図４】
2005134103.tif 000006
【図５】
2005134103.tif 000007
【図６】
2005134103.tif 000008
【図７】
2005134103.tif 000009
【図８】
2005134103.tif 000010
【図９】
2005134103.tif 000011
【図１０】
2005134103.tif 000012
【図１１】
2005134103.tif 000013
【図１２】
2005134103.tif 000014
【図１３】
2005134103.tif 000015
【図１４】
2005134103.tif 000016
【図１５】
2005134103.tif 000017
【図１６】
2005134103.tif 000018
【図１７】
2005134103.tif 000019
【図１８】
2005134103.tif 000020
【図１９】
2005134103.tif 000021
【図２０】
2005134103.tif 000022
【図２１】
2005134103.tif 000023
【図２２】
2005134103.tif 000024
【図２３】
2005134103.tif 000025
【図２４】
2005134103.tif 000026
【図２５】
2005134103.tif 000027
【図２６】
2005134103.tif 000028
【図２７】
2005134103.tif 000029